(57)【特許請求の範囲】
【請求項１】
分離可能な複数のケース体と、これら複数のケース体により形成される内部空間内に収容される制御基板とを有する制御基板装置を備え、当該制御基板装置にシールが貼り付けられた遊技機において、
前記複数のケース体のうちの第１ケース体と前記複数のケース体のうちの第２ケース体とを締結するように金属製の締結具が設けられており、
当該締結具の少なくとも一部を覆うようにして前記シールが貼り付けられており、
前記シールは、
背面側に粘着剤層が設けられ、シールを剥がす力に伴う応力によって一部が破壊される程度の脆性を有する略四角形状のベース部材と、
当該ベース部材の背面側に設けられた識別用手段と
を備え、
当該識別用手段は、
識別情報が格納されたＩＣチップと、
前記シールを剥がす力に伴う応力によって一部が破壊される程度の脆性を有し、前記ＩＣチップに格納された識別情報を読取体に対して送信可能とするアンテナと
を備え、全体として長尺状に形成されており、
前記識別用手段は、その長手方向が前記ベース部材のすべての辺方向と交差し、且つ前記ベース部材の一辺側から他の一辺側に亘って延びるように配置されており、さらに当該識別用手段は、前記シールが前記制御基板装置に貼り付けられた状態において前記アンテナが前記締結具に対して離間されるように配置されており、
長尺状の前記識別用手段において、前記ＩＣチップを基準としてその両側に前記アンテナが延在するように、前記ＩＣチップの配置位置が設定されており、
前記アンテナは、前記ＩＣチップの一方の側から前記長手方向に延びる部分のうち前記ＩＣチップから最も遠い位置において直角に折り曲げられてなる第１折り曲げ部と、前記ＩＣチップのもう一方の側から前記長手方向に延びる部分のうち前記ＩＣチップから最も遠い位置において前記第１折り曲げ部とは前記長手方向にみて反対側となる側へ直角に折り曲げられてなる第２折り曲げ部と、を備えていることを特徴とする遊技機。
【発明の詳細な説明】
【技術分野】
【０００１】
本発明は、遊技機に関するものである。
【背景技術】
【０００２】
遊技機の一種として、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものもある。
【０００３】
この種の遊技機においては、不正な利益を得ることを目的として、制御基板を不正に取り外して当該基板内のＲＯＭ（ＣＰＵやＲＯＭが１チップ化されている場合は当該チップ）を交換し遊技内容を変更したりする等、制御基板に対しての不正行為が数多く報告されており、従来より各種の不正対策が検討されている。例えば、基板ボックスを透明ケース体にて構成して制御基板の状態を外部から容易に視認できるようにする、基板ボックスに封印構造（いわゆる、カシメ構造）を持たせて基板ボックスの開封時には破壊等による開封履歴を残すようにする、又は、基板ボックスを構成する上下一対のケース体の接合部に再貼付不可能であり剥がすと痕跡が残る封印シールを貼付する等の不正対策が採用されている（例えば特許文献１参照）。
【０００４】
しかしながら、上記のような不正対策が施されていても、未だに不正行為が行われている。
【先行技術文献】
【特許文献】
【０００５】
【特許文献１】特開２００３−１８０９１７号公報
【発明の概要】
【発明が解決しようとする課題】
【０００６】
本発明は、上記例示した事情等に鑑みてなされたものであり、制御基板に対する不正を好適に発見することが可能な遊技機を提供することを目的とするものである。
【課題を解決するための手段】
【０００７】
請求項１記載の発明は、分離可能な複数のケース体と、これら複数のケース体により形成される内部空間内に収容される制御基板とを有する制御基板装置を備え、当該制御基板装置にシールが貼り付けられた遊技機において、
前記複数のケース体のうちの第１ケース体と前記複数のケース体のうちの第２ケース体とを締結するように金属製の締結具が設けられており、
当該締結具の少なくとも一部を覆うようにして前記シールが貼り付けられており、
前記シールは、
背面側に粘着剤層が設けられ、シールを剥がす力に伴う応力によって一部が破壊される程度の脆性を有する略四角形状のベース部材と、
当該ベース部材の背面側に設けられた識別用手段と
を備え、
当該識別用手段は、
識別情報が格納されたＩＣチップと、
前記シールを剥がす力に伴う応力によって一部が破壊される程度の脆性を有し、前記ＩＣチップに格納された識別情報を読取体に対して送信可能とするアンテナと
を備え、全体として長尺状に形成されており、
前記識別用手段は、その長手方向が前記ベース部材のすべての辺方向と交差し、且つ前記ベース部材の一辺側から他の一辺側に亘って延びるように配置されており、さらに当該識別用手段は、前記シールが前記制御基板装置に貼り付けられた状態において前記アンテナが前記締結具に対して離間されるように配置されており、
長尺状の前記識別用手段において、前記ＩＣチップを基準としてその両側に前記アンテナが延在するように、前記ＩＣチップの配置位置が設定されており、
前記アンテナは、前記ＩＣチップの一方の側から前記長手方向に延びる部分のうち前記ＩＣチップから最も遠い位置において直角に折り曲げられてなる第１折り曲げ部と、前記ＩＣチップのもう一方の側から前記長手方向に延びる部分のうち前記ＩＣチップから最も遠い位置において前記第１折り曲げ部とは前記長手方向にみて反対側となる側へ直角に折り曲げられてなる第２折り曲げ部と、を備えていることを特徴とする。
【発明の効果】
【０００８】
本発明によれば、制御基板に対する不正を好適に発見することが可能となる。
【図面の簡単な説明】
【０００９】
【図１】第１の実施の形態におけるパチンコ機を示す正面図である。
【図２】パチンコ機の主要な構成を展開又は分解して示す斜視図である。
【図３】パチンコ機を構成する本体枠の前面構成を示す正面図である。
【図４】遊技盤の構成を示す正面図である。
【図５】前扉枠の構成を示す背面図である。
【図６】パチンコ機の構成を示す背面図である。
【図７】パチンコ機の背面構成を主要部品毎に分解して示す分解斜視図である。
【図８】パチンコ機裏面における第１制御基板ユニット、第２制御基板ユニット及び裏パックユニットの配置を示す模式図である。
【図９】本体枠及び遊技盤の構成を示す背面図である。
【図１０】本体枠の背面構成を示す斜視図である。
【図１１】遊技盤の背面構成を示す斜視図である。
【図１２】軸受け金具の構成を示す斜視図である。
【図１３】第１制御基板ユニットの構成を示す正面図である。
【図１４】第１制御基板ユニットの構成を示す斜視図である。
【図１５】第１制御基板ユニットの分解斜視図である。
【図１６】第１制御基板ユニットの背面構成を示す分解斜視図である。
【図１７】主制御装置の分解斜視図である。
【図１８】基板ボックスを説明するための説明図である。
【図１９】図１３におけるＡ―Ａ線付近の断面図である。
【図２０】封印シールの構成を示す断面図である。
【図２１】（ａ）は封印シールの構成を示す正面図、（ｂ）は封印シールの構成を示す背面図である。
【図２２】第２制御基板ユニットの構成を示す正面図である。
【図２３】第２制御基板ユニットの構成を示す斜視図である。
【図２４】第２制御基板ユニットの分解斜視図である。
【図２５】裏パックユニットの構成を示す正面図である。
【図２６】裏パックユニットの分解斜視図である。
【図２７】パチンコ機の電気的構成を示すブロック図である。
【図２８】第２の実施の形態における主制御装置を示す斜視図である。
【図２９】主制御装置の分解斜視図である。
【図３０】主制御装置に貼り付けられた封印シール周辺を拡大して示す斜視図である。
【図３１】封印シールの構成を示す背面図である。
【図３２】（ａ）は封印シール周辺を拡大して示す正面図、（ｂ）は封印シール周辺を拡大して示す側面図、（ｃ）は封印シール周辺を拡大して示す背面図である。
【図３３】図３２（ａ）のＡ―Ａ線断面図である。
【図３４】別の封印シールの構成を示す背面図である。
【図３５】別の封印シールの構成を示す背面図である。
【図３６】（ａ）は別の封印シールの構成を示す正面図、（ｂ）は別の封印シールの構成を示す背面図である。
【図３７】別の封印シールに関する構成を説明するための説明図である。
【図３８】別の封印シールに関する構成を説明するための説明図である。
【図３９】別の封印シールに関する構成を説明するための説明図である。
【図４０】別の封印シールに関する構成を説明するための説明図である。
【発明を実施するための形態】
【００１０】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１１】
手段１．分離可能な複数のケース体（ボックスベース２８０，４０４、ボックスカバー２９０，４０３）と、これら複数のケース体により形成される内部空間内に収容される制御基板（主基板２７０，４０２）とを有する制御基板装置（主制御装置２７１，４０１）を備え、前記ケース体間の境界を跨ぐようにしてシール（封印シール３３０，４２１）を貼り付けた遊技機において、
前記シールが貼り付けられるケース体を相互に締結する金属製の締結具（ネジ２９９，４０７，４０８）を設けるとともに、当該締結具の少なくとも一部を覆うようにして前記シールを貼り付け、
前記シールは、
背面側に粘着剤層（粘着剤層３３２，４２３）が設けられ、シールを剥がす力に伴う応力によって一部が破壊される程度の脆性を有する略四角形状のベース部材（ベースシート３３１，４２２）と、
ベース部材の背面側に設けられ、識別情報（ＩＤ情報）が格納されたＩＣチップ（ＩＣチップ３３３ａ，４２７）と、
同じくベース部材の背面側に設けられ、前記シールを剥がす力に伴う応力によって一部が破壊される程度の脆性を有し、前記ＩＣチップに格納された識別情報を読取体（スキャナー）に対して送信可能とするアンテナ（アンテナ部３３３ｂ，４２５）と
を備え、
前記アンテナを、その長手方向が前記ベース部材のすべての辺方向と交差し、且つ前記ベース部材と共に前記ケース体間の境界を跨ぐように前記ベース部材の一辺側から他の一辺側に亘って延びるようにして配置し、さらに前記締結具に対して離間させて配置したことを特徴とする遊技機。
【００１２】
手段１の遊技機では、ケース体を相互に固定する締結具が金属製であるので、制御基板を不正に取り外すべく締結具を分断しようとする行為が抑制される。また、ケース体間の境界を跨ぎ、且つ締結具の少なくとも一部を覆うようにしてシールが貼り付けられている。よって、ケース体を分離させるにはケース体からシールを剥がす必要がある。
【００１３】
かかる構成において、シールを構成するベース部材は、シールを剥がす力に伴う応力によって一部が破壊される程度の脆性を有している。よって、シールをその隅角から剥がしていくと剥がす力に伴う応力がベース部材の隅角部分に集中し、ベース部材が大きく破壊されることとなる。これにより、シールが不正に剥がされたこと、すなわち、制御基板に対して不正が行われたことの痕跡が残り、制御基板に対して不正が行われたことを容易に発見することができる。
【００１４】
また、シールには、ベース部材の背面側にＩＣチップとアンテナとが設けられており、ＩＣチップに格納された識別情報がアンテナにより読取体に対して送信可能となっている。この場合に、アンテナは、その長手方向がベース部材のすべての辺方向と交差し、且つベース部材とともにケース体間の境界を跨ぐようにベース部材の一辺側から他の一辺側に亘って延びるようにして配置されている。よって、シールをその隅角からではなく、その一辺全体から剥がそうとしたとしても、アンテナの長手方向と交差する方向に破壊が生じる。そして、破壊が生じた位置にてアンテナが分断されることとなる。この場合、遊技ホールの管理者等が読取体によりＩＣチップに格納された識別情報を確認できなくなるので、制御基板に対して不正が行われたことを容易に且つ確実に発見することができる。
【００１５】
また、アンテナは、締結具に対して離間させて配置されている。これにより、不正が行われていない場合における読取体への識別情報の送信を確実に行うことができる。金属製の締結具とアンテナとが接触しているとアンテナに対して設定された周波数が変化してしまうなどといった理由により、読取体への識別情報の送信が阻害されてしまうからである。そして、この場合、不正が行われていないにも関わらず識別情報を読取ることができなくなり、結果的にシールにアンテナ及びＩＣチップを設けたことによる上記効果を得ることができなくなってしまう。これに対して、本手段における構成によれば、シールにアンテナ及びＩＣチップを設けたことによる上記効果を確実に得ることができる。
【００１６】
以上より、封印用のシールの機能を好適に発揮させることができ、制御基板に対する不正を容易に且つ確実に発見することができる。
【００１７】
なお、「略四角形状」としては、正方形状や長方形状が考えられる。
【００１８】
また、本手段において、ＩＣチップに格納された識別情報を遊技機に対して固有のものとして設定することにより、遊技機に取り付けられている制御基板装置が不正な制御基板を備えた制御基板装置に取り替えられた場合に、その取り替えを容易に発見することができる。
【００１９】
手段２．手段１において、前記締結具を着脱自在とし、
前記シールを前記締結具の取り外し方向側の端部（頭部４０７ａ，４０８ａの頂上）を覆うようにして貼り付けるとともに、前記アンテナを前記端部に対して離間させて配置したことを特徴とする遊技機。
【００２０】
手段２によれば、締結具は着脱自在であるため、遊技ホールなどにおける制御基板の点検時やメンテナンス時には締結具の締結を解除し制御基板を取り外すことが可能である。かかる構成において、締結具の取り外し方向側の端部を覆うようにしてシールが貼り付けられているので、制御基板を不正に取り外すためにはシールを剥がし締結具の取り外し方向側の端部を露出させる必要がある。よって、当該不正行為に際してベース部材の破壊やアンテナの分断が生じる機会が設けられ、制御基板に対する不正を容易に且つ確実に発見することができる。また、アンテナが締結具の取り外し方向側の端部に対して離間させて配置されているので、不正が行われていない場合における読取体への識別情報の送信を確実に行うことができる。よって、シールを締結具の取り外し方向側の端部を覆うようにして貼り付けたことによる上記効果を確実に得ることができる。
【００２１】
なお、「着脱自在」である構成とは、ケース体や締結具などの破壊を伴わずに当該締結具の着脱を行うことができる構成をいい、例えば、ネジやビスなどを締結具として用いる構成をいう。
【００２２】
手段３．手段１又は手段２において、前記各ケース体の外周部には相互に対向する板面を有する貼付板部（貼付板部４０５，４０６）を設け、
前記締結具は、前記板面に対して略直交する方向に延び、前記両貼付板部における両者の境界を跨ぐようにして形成された連通孔（ネジ孔４１１，４１２）に挿通された状態で締結を行い、
さらに各貼付板部の境界を跨ぐようにして前記シールを貼り付ける構成であって、
前記締結具として、前記各貼付板部の境界に対して一方の貼付板部側への方向を取り外し方向とする第１締結具（第１ネジ４０７）と、その反対方向を取り外し方向とする第２締結具（第２ネジ４０８）とを設け、
前記シールを、前記第１締結具及び前記第２締結具の両方の取り外し方向側の端部（頭部４０７ａ，４０８ａの頂上）を覆うようにして貼り付けるとともに、前記アンテナを、前記両貼付板部における対応する締結具の取り外し方向側の面（第１貼付面４０５ａ、第２貼付面４０６ａ）に位置するようにして配置したことを特徴とする遊技機。
【００２３】
手段３の遊技機では、貼付板部が締結具によって締結されるのに伴って、各ケース体が締結される。そして、この締結された貼付板部の境界を跨ぐようにしてシールが貼り付けられている。この場合に、締結具が複数設けられているので、各貼付板部（各ケース体）が強固に固定される。また、制御基板を取り外すためには、第１締結具及び第２締結具の締結を解除する必要がある。
【００２４】
かかる構成において、第１締結具は各貼付板部の境界に対して一方の貼付板部側への方向が取り外し方向となるように取り付けられているのに対して、第２締結具はその反対方向が取り外し方向となるように取り付けられている。そして、これら第１締結具及び第２締結具の取り外し方向側の端部を覆うようにしてシールが貼り付けられており、さらに両貼付板部における対応する締結具の取り外し方向側の面に位置するようにしてアンテナが配置されている。よって、不正に締結具の締結を解除する作業を煩雑なものとすることができ、さらにはかかる不正な解除作業に際してベース部材の破壊、及びアンテナの分断が生じる機会を多く設けることができる。第１締結具の取り外し方向側の端部又は第２締結具の取り外し方向側の端部のいずれか一方を露出させることができたとしても、他方を露出させる必要があるからである。
【００２５】
また、例えば、第１締結具及び第２締結具のいずれもが、両貼付板部の境界に対して同一方向を取り外し方向とする構成においては、たとえ両貼付板部の境界を跨ぐようにしてシールを貼り付け、さらに両貼付板部における対応する締結具の取り外し方向側の面に位置するようにしてアンテナを配置していたとしても、当該シールにおける前記締結具の取り外し方向側の部分を剥がすだけで、すなわち、シールをすべて剥がすことなく、両締結具の取り外し方向側の端部を露出させることができてしまう。この場合、上記のようにシールを貼り付け、さらに上記のようにアンテナを配置した効果が好適に発揮されなくなってしまう。これに対して、本手段３における構成によれば上記のとおりであるので、当該効果が好適に発揮される。
【００２６】
また、上記手段１の構成を備え、アンテナが第１，第２締結具の取り外し方向側の端部に対して離間させて配置されているので、不正が行われていない場合における読取体への識別情報の送信を確実に行うことができる。よって、上記効果を確実に得ることができる。
【００２７】
手段４．手段１乃至手段３のいずれかにおいて、前記ケース体の前記シールが貼り付けられる貼付面（貼付面４０５ａ，４０５ｂ，４０６ａ，４０６ｂ）に対応させて、前記アンテナが前記締結具に対して離間された位置となるように前記シールの貼付位置をガイドするガイド手段（囲い部Ｃ）を設けたことを特徴とする遊技機。
【００２８】
手段４によれば、ガイド手段が設けられていることにより、シールを貼付面に貼り付けることで自ずとアンテナが締結具に対して離間される。これにより、アンテナと締結具とを確実に離間させることができる。また、シールを貼り付ける場合の作業性を低下させることなく、アンテナと締結具とを離間させることができる。
【００２９】
手段５．手段４において、前記ガイド手段は、前記貼付面を囲むようにして形成された囲い枠（囲い部Ｃ）であることを特徴とする遊技機。
【００３０】
手段５によれば、シールを貼り付ける場合には囲い枠により囲まれた領域内にシールを持っていけばよく、シールを貼り付ける場合の作業性を向上させることができる。また、制御基板に対して不正を行うべくシールを剥がそうとしても、シールは囲い枠にて囲まれているためにその剥がし行為が非常に困難なものとなる。したがって、当該剥がし行為に際してベース部材が破壊され易くなり、さらにはアンテナが分断され易くなる。よって、制御基板に対して不正が行われたことを確実に発見することができる。さらには、囲い枠がガイド手段としての機能とシールの剥がし行為を困難なものとする機能とを併せ持つこととなり、構成の簡素化を図りつつ上記効果を奏することができる。
【００３１】
手段６．手段２において、前記シールが貼り付けられる各ケース体には相互に連通する連通孔（ネジ孔２８７ａ，２９４ａ，４１１，４１２）を設けるとともに、前記締結具は前記連通孔に挿通された状態で締結を行い、
前記締結具の挿通状態において当該締結具の前記端部の位置が前記連通孔におけるその軸線方向の途中位置となるよう構成し、
さらに、前記シールを、前記連通孔における前記締結具の取り外し方向に位置する開口（取り外し側開口４１３，４１４）を覆うようにして貼り付けるとともに、
前記アンテナを、前記締結具の前記端部と対峙するようにして配置したことを特徴とする遊技機。
【００３２】
手段６によれば、締結具の取り外し方向側の端部の位置が連通孔におけるその軸線方向の途中位置となっているのに対して、アンテナの位置が連通孔における締結具の取り外し方向に位置する開口付近となっている。よって、アンテナと締結具とを離間させた構成において、アンテナを締結具の取り外し方向側の端部と対峙させることができる。これにより、締結具を取り外すべく締結具の取り外し側の端部を露出させるようにシールを巧妙に剥がそうとしたとしても、そのためにはシールにおけるアンテナが配置された部分を剥がす必要が生じる。そして、かかる場合、アンテナが分断され読取体により識別情報が確認できなくなることで、制御基板に対して不正が行われたことを確実に発見することができる。
【００３３】
手段７．手段６において、前記アンテナを、前記開口を跨ぐようにして配置したことを特徴とする遊技機。
【００３４】
手段７によれば、アンテナが連通孔における締結具の取り外し方向の開口を跨ぐ構成であるので、締結具の取り外し方向側の端部を露出させる際にアンテナの分断が生じる機会を多く設けることができる。よって、制御基板に対して不正が行われたことを確実に発見することができる。また、アンテナが開口を跨ぐことでアンテナが締結具の前記端部に向けて（連通孔内に向けて）撓みにくくなり、アンテナと締結具の前記端部とを対峙させた構成において両者を確実に離間させることができる。
【００３５】
手段８．手段７において、前記アンテナの短手方向の寸法を、前記開口の開口幅よりも小さくするとともに、
前記アンテナを、前記開口を挟んで当該開口の周縁部を架渡すようにして配置したことを特徴とする遊技機。
【００３６】
手段８によれば、開口を挟んで当該開口の周縁部を架渡すようにしてアンテナが配置されているので、シールを剥がす場合にはアンテナにおける開口の周縁部に対応する位置にシールを剥がす力に伴う応力が集中し易くなる。そして、アンテナの短手方向の寸法は開口の開口幅よりも小さくなっている。よって、アンテナの分断が生じる機会を多く設けることができ、制御基板に対して不正が行われたことを確実に発見することができる。
【００３７】
なお、「連通孔における締結具の取り外し方向に位置する開口側を段差状に拡径させて締結具の頭部を収容する頭収容部を形成し、この頭収容部の段差部に前記頭部が当接することで前記締結具の挿入方向の移動が規制される構成」においては、アンテナの短手方向の寸法を、頭収容部の孔径よりも小さくする構成としてもよい。
【００３８】
手段９．手段６乃至手段８のいずれかにおいて、前記アンテナと前記締結具の前記端部との間には、両者を介在する介在部材を不具備としたことを特徴とする遊技機。
【００３９】
手段９によれば、アンテナと締結具の取り外し方向側の端部との間に両者を介在する介在部材が不具備となっているので、アンテナと締結具の前記端部との間には所定の空間が形成されている。これにより、不正に締結具の締結を解除すべくシールを剥がして締結具の取り外し方向側の端部を露出させようとする場合において、アンテナの分断が生じる機会を多く設けることができる。つまり、シールは開口の周縁部を境界としてケース体に貼り付けられた部分と貼り付けられていない部分とが存在し、これはアンテナにおいても同様である。この場合に、締結具の取り外し方向側の端部を露出させようとしてシールを剥がすと、アンテナにおけるケース体に貼り付けられた部分と貼り付けられていない部分との境界にシールを剥がす力に伴う応力が集中し易くなるからである。よって、制御基板に対して不正が行われたことを確実に発見することができる。
【００４０】
特に、上記手段８及び当該手段９を備えた構成においては、開口を挟んで当該開口の周縁部を架渡すようにしてアンテナが配置されており、さらにアンテナと締結具の取り外し方向側の端部との間に所定の空間が形成される。つまり、アンテナにおける架渡す部位が浮いた状態となる。よって、締結具の取り外し方向側の端部を露出させようとしてシールを剥がすと、アンテナにおけるケース体に貼り付けられた部分と貼り付けられていない部分との境界にシールを剥がす力に伴う応力がより集中し易くなる。よって、アンテナの分断が生じる機会をより多く設けることができる。
【００４１】
手段１０．手段６乃至手段９のいずれかにおいて、前記各ケース体の外周部には相互に対向する板面を有する貼付板部（貼付板部４０５，４０６）を設け、
それら貼付板部には前記連通孔を前記板面に対して略直交する方向が軸線方向となるように形成するとともに、前記締結具は前記連通孔に挿通された状態で両貼付板部の締結を行い、
さらに各貼付板部の境界を跨ぐようにして前記シールを貼り付ける構成であって、
前記連通孔及び前記締結具として、前記各貼付板部の境界に対して一方の貼付板部側への方向が前記取り外し方向となるように第１連通孔（第１ネジ孔４１１）及び第１締結具（第１ネジ４０７）を設けるとともに、その反対方向が前記取り外し方向となるように第２連通孔（第２ネジ孔４１２）及び第２締結具（第２ネジ４０８）を設け、
前記シールを、前記第１締結具の前記端部及び前記第２締結具の前記端部の両方を覆うようにして貼り付けるとともに、
前記アンテナを、前記両貼付板部における対応する締結具の取り外し方向側の面（第１貼付面４０５ａ、第２貼付面４０６ａ）に位置し、且つ前記第１締結具の前記端部又は前記第２締結具の前記端部の少なくとも一方と対峙するようにして配置したことを特徴とする遊技機。
【００４２】
手段１０によれば、貼付板部が締結具によって締結されるのに伴って、各ケース体が締結される。そして、その締結された貼付板部の境界を跨ぐようにしてシールが貼り付けられている。この場合に、締結具が複数設けられているので、各貼付板部（各ケース体）が強固に固定される。また、制御基板を取り外すためには、第１締結具及び第２締結具の締結を解除する必要がある。
【００４３】
かかる構成において、第１締結具は各貼付板部の境界に対して一方の貼付板部側への方向が取り外し方向となるように取り付けられているのに対して、第２締結具はその反対方向が取り外し方向となるように取り付けられている。そして、これら第１締結具及び第２締結具の取り外し方向側の端部を覆うようにしてシールが貼り付けられており、さらに両貼付板部における対応する締結具の取り外し方向側の面に位置するようにしてアンテナが配置されている。よって、不正に締結具の締結を解除する作業を煩雑なものとすることができ、さらにはかかる不正な解除作業に際してベース部材の破壊、及びアンテナの分断が生じる機会を多く設けることができる。第１締結具の取り外し方向側の端部又は第２締結具の取り外し方向側の端部のいずれか一方を露出させることができたとしても、他方を露出させる必要があるからである。
【００４４】
また、例えば、第１締結具及び第２締結具のいずれもが、両貼付板部の境界に対して同一方向を取り外し方向とする構成においては、たとえ両貼付板部の境界を跨ぐようにしてシールを貼り付け、さらに両貼付板部における対応する締結具の取り外し方向側の面に位置するようにしてアンテナを配置していたとしても、当該シールにおける前記締結具の取り外し方向側の部分を剥がすだけで、すなわち、シールをすべて剥がすことなく、両締結具の取り外し方向側の端部を露出させることができてしまう。この場合、上記のようにシールを貼り付け、さらに上記のようにアンテナを配置した効果が好適に発揮されなくなってしまう。これに対して、本手段１０における構成によれば上記のとおりであるので、当該効果が好適に発揮される。
【００４５】
手段１１．手段１０において、前記アンテナを、前記第１締結具の前記端部及び前記第２締結具の前記端部と対峙するようにして配置したことを特徴とする遊技機。
【００４６】
手段１１によれば、第１締結具及び第２締結具の両方の取り外し方向側の端部と対峙するようにしてアンテナが配置されているので、不正に締結具の締結が解除される場合においてアンテナの分断が生じる機会を多く設けることができる。よって、制御基板に対して不正が行われたことを確実に発見することができる。
【００４７】
手段１２．手段１１において、前記アンテナを、前記ベース部材の中心に対して点対称となるようにして配置したことを特徴とする遊技機。
【００４８】
手段１２によれば、１８０°回転させて貼付面にシールを貼り付けたとしても、第１締結具及び第２締結具の両方の取り外し方向側の端部に対してアンテナを対峙させることができる。よって、第１締結具及び第２締結具の両方の取り外し方向側の端部に対してアンテナを対峙させるようにした構成において、シールを貼り付ける場合の作業性を向上させることができる。
【００４９】
なお、ベース部材を長方形状（矩形状）に形成することで、シールの貼り付け作業を行う作業者にとっては、シールの短手方向又は長手方向を基準として当該シールをケース体に貼り付けるだけで第１締結具及び第２締結具の両方の取り外し方向側の端部に対してアンテナを対峙させることができ、シールを貼り付ける場合のさらなる作業性向上を図ることができる。
【００５０】
手段１３．手段６乃至手段１２のいずれかにおいて、前記ケース体の前記シールが貼り付けられる貼付面（貼付面４０５ａ，４０５ｂ，４０６ａ，４０６ｂ）に対応させて、前記アンテナが前記締結具の前記端部と対峙する位置となるように前記シールの貼付位置をガイドするガイド手段（囲い部Ｃ）を設けたことを特徴とする遊技機。
【００５１】
手段１３によれば、ガイド手段が設けられていることにより、シールを貼付面に貼り付けることで自ずとアンテナが締結具と対峙する。これにより、アンテナと締結具とを確実に対峙させることができる。また、シールを貼り付ける場合の作業性を低下させることなく、アンテナと締結具とを対峙させることができる。
【００５２】
手段１４．手段１３において、前記ガイド手段は、前記貼付面を囲むようにして形成された囲い枠（囲い部Ｃ）であることを特徴とする遊技機。
【００５３】
手段１４によれば、シールを貼り付ける場合には囲い枠により囲まれた領域内にシールを持っていけばよく、シールを貼り付ける場合の作業性を向上させることができる。また、制御基板に対して不正を行うべくシールを剥がそうとしても、シールは囲い枠にて囲まれているためにその剥がし行為が非常に困難なものとなる。したがって、当該剥がし行為に際してベース部材が破壊され易くなり、さらにはアンテナが分断され易くなる。よって、制御基板に対して不正が行われたことを確実に発見することができる。さらには、囲い枠がガイド手段としての機能とシールの剥がし行為を困難なものとする機能とを併せ持つこととなり、構成の簡素化を図りつつ上記効果を奏することができる。
【００５４】
手段１５．手段１４において、前記貼付面に前記シールを貼り付ける場合に前記アンテナが前記締結具の前記端部と対峙する位置から外れない範囲内で、前記貼付面が前記シールの面積よりも広くなるように前記囲い枠を形成したことを特徴とする遊技機。
【００５５】
手段１５によれば、貼付面がシールの面積よりも広くなるように囲い枠が形成されている。また、貼付面はシールを貼り付ける場合にアンテナが締結具と対峙する位置から外れない範囲内で設定されている。これにより、シールを貼付面に貼り付ける場合の貼付位置にゆとりが生まれ、上記手段１４における効果を奏するようにした構成においてシールを貼り付ける場合の作業性を向上させることができる。
【００５６】
手段１６．手段１乃至手段５のいずれかにおいて、前記シールが貼り付けられる各ケース体には相互に連通する連通孔を設けるとともに、前記締結具は前記連通孔に挿通された状態で締結を行い、
さらに、前記シールを、前記連通孔における前記締結具の取り外し方向に位置する開口を覆うようにして貼り付けるとともに、
前記アンテナを、前記連通孔における前記開口に近接させて、又は当該開口の周縁部に当該アンテナの外縁が接するように配置したことを特徴とする遊技機。
【００５７】
手段１６によれば、アンテナが各連通孔における対応する締結具の取り外し方向の開口に近接させて、又はそれら開口の周縁部に外縁が接するように配置されていることにより、金属製の締結具に対してアンテナが離間される。これにより、不正が行われていない場合における読取体への識別情報の送信を確実に行うことができる。金属製の締結具とアンテナとが接触しているとアンテナに対して設定された周波数が変化してしまうなどといった理由により、読取体への識別情報の送信が阻害されてしまうからである。
【００５８】
また、各締結具を取り外すべく各締結具の取り外し側の端部を露出させるようにシールを巧妙に剥がそうとしたとしても、そのためにはシールにおけるアンテナが配置された部分を剥がす必要が生じる。そして、かかる場合、アンテナが分断され読取体により識別情報が確認できなくなることで、制御基板に対して不正が行われたことを確実に発見することができる。
【００５９】
なお、本手段１６において上記手段４を備えた構成においては、「ケース体の前記シールが貼り付けられる貼付面に対応させて、前記アンテナが前記連通孔の前記開口と近接するように又は当該アンテナの外縁が接するように前記シールの貼付位置をガイドするガイド手段」を設ける構成とする。この場合、シールを貼付面に貼り付けることで自ずとアンテナが連通孔の前記開口と近接する、又はアンテナの外縁が連通孔の前記開口の周縁部と接する。よって、確実に上記効果を得ることができ、さらにはシールを貼り付ける場合の作業性を向上させることができる。
【００６０】
手段１７．手段１乃至手段１６のいずれかにおいて、前記シールが貼り付けられる各ケース体には相互に連通する連通孔を設けるとともに、前記締結具は前記連通孔に挿通された状態で締結を行い、
さらに、前記シールを、前記連通孔における前記締結具の取り外し方向に位置する開口を覆うようにして貼り付けるとともに、
前記連通孔を、前記締結具の取り付け方向側を開放させずに設けたことを特徴とする遊技機。
【００６１】
連通孔における締結具の取り付け方向側（挿入方向側）が開放された構成においては、例えば、その開口側から工具などを挿し込み締結具の取り付け方向側端部（挿入方向側端部）に所定の深さの溝などを形成し、その溝にマイナスのドライバなどを嵌め込んで締結具をその取り外し方向側から取り外すといった行為が想定される。これに対して、手段１７によれば、各連通孔における対応する締結具の取り付け方向側が開放されていないので、上記のような不正行為を抑制することができる。そして、かかる構成と上記手段１等におけるシールに関する構成とを備えることで、制御基板に対する不正行為の抑制効果がより発揮される。
【００６２】
手段１８．手段１乃至手段１７のいずれかにおいて、前記アンテナを、前記ベース部材の一隅部側からその対角方向の隅部側に亘って延びるようにして配置したことを特徴とする遊技機。
【００６３】
手段１８によれば、アンテナがベース部材の一隅部側からその対角方向の隅部側に亘って延びるようにして配置されていることにより、アンテナの長手方向の寸法を長く確保することができる。よって、シールが剥がされた場合におけるアンテナの分断が生じる機会を多く設けることができるので、制御基板に対して不正が行われたことをより確実に発見することができる。
【００６４】
手段１９．手段１８において、前記アンテナを、前記ベース部材の対角線上に配置したことを特徴とする遊技機。
【００６５】
手段１９によれば、アンテナがベース部材の対角線上に設けられているので、アンテナの長さ寸法を極力大きく確保することができる。よって、シールが剥がされた場合におけるアンテナの分断が生じる機会をできる限り多く設けることができる。
【００６６】
手段２０．手段１乃至手段１９のいずれかにおいて、前記ＩＣチップを基準としてその両側に向けて前記アンテナの長手方向が延びるように、前記ＩＣチップの配置位置を設定したことを特徴とする遊技機。
【００６７】
手段２０によれば、ＩＣチップを基準としてその両側に向けてアンテナの長手方向が延びるようにＩＣチップの配置位置が設定されているので、ＩＣチップがシールの外縁側（一辺側）には位置しないこととなる。よって、ＩＣチップの厚みに起因してシールが剥がし易くなることを抑制することができる。即ち、ＩＣチップは所定の厚みを有するためシールにおけるＩＣチップの周囲とケース体との間には隙間が生じることとなる。この場合に、ＩＣチップがシールの外縁側にあるとその外縁とケース体との隙間に指を掛けることでシールが剥がし易くなってしまう。これに対して、本手段のように、ＩＣチップの位置がシールの外縁側でないことにより、所定の厚みを有するＩＣチップを備えた構成においてシールが剥がし易くなることを抑制することができる。
【００６８】
なお、ＩＣチップをアンテナの長手方向の略中央に配置することで、上記効果はより顕著なものとなる。
【００６９】
手段２１．手段１乃至手段２０のいずれかにおいて、前記アンテナの厚み寸法が前記ＩＣチップの厚み寸法よりも小さいことを特徴とする遊技機。
【００７０】
手段２１によれば、アンテナの厚み寸法がＩＣチップの厚み寸法よりも小さいので、シールが剥がされた際にアンテナが破壊され易くなる。よって、制御基板に対して不正が行われたことをより確実に発見することができる。
【００７１】
この場合に、ＩＣチップがシールの外縁側にあると、上記手段２０に示したとおり、シールが剥がし易くなってしまう。これに対して、上記手段２０の構成を備えることで、シールが剥がし易くなることを抑制することができる。
【００７２】
手段２２．手段１乃至手段２１のいずれかにおいて、前記シールを、曲げ中心の延びる方向が該シールの一辺の延びる方向に対して略平行となるように、所定の角度又は所定の曲率で曲げて前記ケース体に貼り付けたことを特徴とする遊技機。
【００７３】
手段２２によれば、曲げ中心の延びる方向がシールの一辺の延びる方向に対して略平行となるように、シールが所定の角度又は所定の曲率で曲げてケース体に貼り付けられているので、シールがその隅角から剥がされた場合のベース部材の破壊がより顕著に発生することとなる。なぜなら、上記のようにシールが貼り付けられている構成においてシールをその隅角から剥がそうとすると、曲げ中心の端部に剥がす力に伴う応力が集中するからである。この場合、制御基板に対して不正を行おうとする者は、自ずとシールの一辺に沿う方向に当該シールを剥がそうとする。これに対して、上記手段１の構成を備えていることにより、一辺に沿う方向にシールを剥がそうとするとアンテナが分断され、制御基板に対して不正が行われたことを容易に発見することができる。
【００７４】
手段２３．手段１乃至手段２２のいずれかにおいて、前記ベース部材における前記アンテナの周囲に、アンテナ用切り込み（アンテナ用切り込み３３５）を複数形成したことを特徴とする遊技機。
【００７５】
手段２３によれば、シールが剥がされた場合、その剥がす力に伴う応力がアンテナの周囲に形成されたアンテナ用切り込みの端部に集中し、アンテナ用切り込みの端部からベース部材が破壊されるのに伴ってアンテナも破壊され、その位置にてアンテナが分断されることとなる。よって、アンテナが分断され易くなり、制御基板に対して不正が行われた場合の発見をより確実に行うことができる。
【００７６】
手段２４．手段２３において、前記アンテナ用切り込みは、前記アンテナの長手方向及び前記ベース部材のすべての辺方向に対して交差する方向に延びる線状の切り込みであることを特徴とする遊技機。
【００７７】
手段２４によれば、アンテナ用切り込みは、アンテナの長手方向及びベース部材のすべての辺方向に対して交差する方向に延びる線状の切り込みであるので、シールが一辺に沿う方向に剥がされた場合の剥がす力に伴う応力がアンテナ用切り込みのアンテナ側端部に集中し易くなる。これにより、アンテナ用切り込みを介したアンテナの分断をより発生し易くすることができる。
【００７８】
なお、アンテナが分断されない程度でアンテナに達する位置までアンテナ用切り込みを形成する構成とすることにより、シールが剥がされた場合のアンテナの分断がより発生し易くなる。
【００７９】
また、アンテナを挟んでアンテナ用切り込みが直線状に並ばないようにすることで、例えば、遊技機の製造時におけるシールの貼り付け作業時などといった不正と関係のない場合に、アンテナを挟んで位置するアンテナ用切り込みが繋がりそれに伴ってアンテナが分断されてしまうことを抑制することができる。
【００８０】
手段２５．手段１乃至手段２４のいずれかにおいて、前記ベース部材の少なくとも隅角に、外周から内側に向けて延びる複数の外縁切り込み（外縁切り込み３３７）を形成したことを特徴とする遊技機。
【００８１】
手段２５によれば、シールをその隅角から剥がすと、剥がす力に伴う応力が外縁切り込みの内側端部に集中しベース部材の破壊がより発生し易くなる。この場合、制御基板に対して不正を行おうとする者は、自ずとシールの一辺に沿う方向に当該シールを剥がそうとする。これに対して、上記手段１の構成を備えていることにより、一辺に沿う方向にシールを剥がそうとするとアンテナが分断され、制御基板に対して不正が行われたことを容易に発見することができる。
【００８２】
なお、外縁切り込みをベース部材の外周方向に多数並べて形成することにより、シールがその一辺に沿う方向に剥がされた場合に、ベース部材の破壊が発生し易くなる。これにより、シールが不正に剥がされたことの痕跡がベース部材に残ることとなり、不正の発見をより容易に行うことができる。
【００８３】
手段２６．手段２５において、前記外縁切り込みの少なくとも内側端部を、線状又は鋭角状としたことを特徴とする遊技機。
【００８４】
手段２６によれば、外縁切り込みの少なくとも内側端部が線状又は鋭角状となっているので、シールをその隅角から剥がした場合に、その剥がす力に伴う応力が外縁切り込みの内側端部により局所的に集中することとなる。よって、シールをその隅角から剥がした場合の外縁切り込みを介したベース部材の破壊をより発生し易くすることができる。
【００８５】
手段２７．手段１乃至手段２６のいずれかにおいて、前記ベース部材における隅角側に隅側切り込み（隅側切り込み３３６）を形成したことを特徴とする遊技機。
【００８６】
手段２７によれば、ベース部材における隅角側に隅側切り込みが形成されているので、シールをその隅角から剥がした場合におけるベース部材の破壊がより発生し易くなる。この場合、制御基板に対して不正を行おうとする者は、自ずとシールの一辺に沿う方向に当該シールを剥がそうとする。これに対して、上記手段１の構成を備えていることにより、一辺に沿う方向にシールを剥がそうとするとアンテナが分断され、制御基板に対して不正が行われたことを容易に発見することができる。
【００８７】
なお、隅側切り込みをベース部材のコーナー部分に沿うようにして略Ｌ字状に形成する構成とすることにより、シールがその隅角から剥がされた場合に、ベース部材をより破壊され易くすることができ、さらには破壊の程度を大きくすることができる。
【００８８】
手段２８．手段１乃至手段２７のいずれかにおいて、前記複数のケース体は一対のケース体からなり、一方のケース体に対して他方のケース体をスライドさせることで分離可能となる構成とし、前記シールを前記一対のケース体におけるスライド方向の端部に貼り付けたことを特徴とする遊技機。
【００８９】
手段２８では、一方のケース体に対して他方のケース体をスライドさせることで、一対のケース体を分離させることができる。この場合に、シールが一対のケース体におけるスライド方向の端部に貼り付けられているので、ケース体を分離させるには必ずシールを剥がす必要がある。そして、上記手段１等の構成を備えていることにより、シールを剥がしたことが容易に且つ確実に発見される構成となっている。よって、制御基板に対して不正が行われたことを容易に且つ確実に発見することができる。
【００９０】
手段２９．基板ボックス内に制御基板を収容してなる制御基板装置と、制御基板装置を搭載する搭載部とを備え、前記基板ボックスと前記搭載部とを跨ぐようにしてシールを貼り付けた遊技機において、
前記搭載部に対して前記基板ボックスを締結する金属製の締結具を設けるとともに、当該締結具の少なくとも一部を覆うようにして前記シールを貼り付け、
前記シールは、
背面側に粘着剤層が設けられ、シールを剥がす力に伴う応力によって一部が破壊される程度の脆性を有する略四角形状のベース部材と、
ベース部材の背面側に設けられ、識別情報が格納されたＩＣチップと、
同じくベース部材の背面側に設けられ、前記シールを剥がす力に伴う応力によって一部が破壊される程度の脆性を有し、前記ＩＣチップに格納された識別情報を読取体に対して送信可能とするアンテナと
を備え、
前記アンテナを、その長手方向が前記ベース部材のすべての辺方向と交差し、且つ前記ベース部材と共に前記基板ボックスと前記搭載部とを跨ぐように前記ベース部材の一辺側から他の一辺側に亘って延びるようにして配置し、さらに前記締結具に対して離間させて配置したことを特徴とする遊技機。
【００９１】
手段２９の遊技機では、搭載部に対して基板ボックスを締結する締結具が金属製であるので、制御基板装置を不正に取り外すべく締結具を分断しようとする行為が抑制される。また、基板ボックスと搭載部とを跨ぎ、且つ締結具の少なくとも一部を覆うようにしてシールが貼り付けられている。よって、制御基板装置を搭載部から取り外すためにはシールを剥がす必要がある。
【００９２】
かかる構成において、シールを構成するベース部材は、シールを剥がす力に伴う応力によって一部が破壊される程度の脆性を有している。よって、シールをその隅角から剥がしていくと剥がす力に伴う応力がベース部材の隅角部分に集中し、ベース部材が大きく破壊されることとなる。これにより、シールが不正に剥がされたこと、すなわち、搭載部から制御基板装置が不正に取り外されたことの痕跡が残り、制御基板装置に対して不正が行われたことを容易に発見することができる。
【００９３】
また、シールには、ベース部材の背面側にＩＣチップとアンテナとが設けられており、ＩＣチップに格納された識別情報がアンテナにより読取体に対して送信可能となっている。この場合に、アンテナは、その長手方向がベース部材のすべての辺方向と交差し、且つベース部材とともに基板ボックスと搭載部とを跨ぐようにベース部材の一辺側から他の一辺側に亘って延びるようにして配置されている。よって、シールをその隅角からではなく、その一辺全体から剥がそうとしたとしても、アンテナの長手方向と交差する方向に破壊が生じる。そして、破壊が生じた位置にてアンテナが分断されることとなる。この場合、遊技ホールの管理者等が読取体によりＩＣチップに格納された識別情報を確認できなくなるので、制御基板装置に対して不正が行われたことを容易に且つ確実に発見することができる。
【００９４】
また、アンテナは、締結具に対して離間させて配置されている。これにより、不正が行われていない場合における読取体への識別情報の送信を確実に行うことができる。金属製の締結具とアンテナとが接触しているとアンテナに対して設定された周波数が変化してしまうなどといった理由により、読取体への識別情報の送信が阻害されてしまうからである。そして、この場合、不正が行われていないにも関わらず識別情報を読取ることができなくなり、結果的にシールにアンテナ及びＩＣチップを設けたことによる上記効果を得ることができなくなってしまう。これに対して、本手段における構成によれば、シールにアンテナ及びＩＣチップを設けたことによる上記効果を確実に得ることができる。
【００９５】
また、本手段において、ＩＣチップに格納された識別情報を遊技機に対して固有のものとして設定することにより、遊技機に取り付けられている制御基板装置が不正な制御基板を備えた制御基板装置に取り替えられた場合に、その取り替えを容易に発見することができる。
【００９６】
なお、「略四角形状」としては、正方形状や長方形状が考えられる。
【００９７】
また、本手段２９に対して、上記手段２乃至手段２７の構成を適用することで各手段の効果を奏することができ、本発明をより好適なものとすることができる。
【００９８】
この場合に、上記手段６、上記手段１６及び上記手段１７を適用する場合には、「基板ボックス及び搭載部には相互に連通する連通孔を設ける」構成とする。
【００９９】
また、上記手段２２を適用する場合には、曲げ中心の延びる方向がシールの一辺の延びる方向に対して略平行となるように、シールを所定の角度又は所定の曲率で曲げて基板ボックス及び搭載部に貼り付ける構成とする。
【０１００】
手段３０．手段１乃至手段２９のいずれかにおいて、遊技球が流下する遊技領域（遊技盤３０）と、該遊技領域に遊技球を打ち出すべく操作される操作部材（遊技球発射ハンドル１８）とを備え、
前記遊技領域に設けられた入賞口（一般入賞口３１、可変入賞装置３２、作動口３３）に遊技球が入球することにより遊技者に特典が付与される構成とし、
前記入賞口に遊技球が入球したか否かの入賞判定を行う入賞判定手段を備えた制御基板（主基板２７０，４０２）を有する制御基板装置（主制御装置２７１，４０１）に対して前記シールを貼り付けたことを特徴とする遊技機。
【０１０１】
手段３０によれば、いわゆるパチンコ機における入賞判定手段を備えた制御基板に対して上記手段１乃至手段２９のいずれかの効果を享受することができる。即ち、制御基板に対して不正を行い、入賞口に遊技球が入球していないにも関わらず特典を得ようとする不正行為を抑制することができる。
【０１０２】
なお、所定の入賞口に遊技球が入球することにより抽選を行い、抽選の結果、当選となった場合に特別遊技状態を発生させる遊技機においては、制御基板は抽選手段を備えた構成とする。この場合、上記手段１乃至手段２９の構成を備えていることにより、不正に特別遊技状態を発生させようとする行為を抑制することができる。
【０１０３】
手段３１．手段１乃至手段２９のいずれかにおいて、周方向に周回すると共に該周方向に複数種の絵柄が配列された複数の周回体と、該各周回体について各絵柄のうち一部の絵柄を視認可能とする表示窓と、前記各周回体の回転を開始させるべく操作される始動操作手段と、前記各周回体の回転を停止させるべく操作される停止操作手段とを備え、
前記各周回体の停止後に前記表示窓から視認できる有効位置に前記絵柄によって形成される特定絵柄又は特定絵柄の組合せが成立していた場合には遊技者に特典が付与される構成とし、
前記特定絵柄又は前記特定絵柄の組合せを成立させることが可能か否かの抽選を行う抽選手段を備えた制御基板を有する制御基板装置に対して前記シールを貼り付けたことを特徴とする遊技機。
【０１０４】
手段３１によれば、いわゆるスロットマシンにおける抽選手段を備えた制御基板に対して上記手段１乃至手段２９のいずれかの効果を享受することができる。即ち、制御基板に対して不正を行い、特定絵柄又は特定絵柄の組合せを成立させることが可能となる役に当選するようにして特典を得ようとする不正行為を抑制することができる。
【０１０５】
手段３２．手段３１において、遊技機前面部にて遊技球を貯留する貯留部と、該貯留部に貯留されている遊技球を取り込む取込装置とを備え、
該取込装置により所定数の遊技球が取り込まれ、さらに前記始動操作手段が操作された場合に前記各周回体の回転が開始される構成としたことを特徴とする遊技機。
【０１０６】
手段３２によれば、パチンコ機とスロットマシンとが融合した遊技機における抽選手段を備えた制御基板に対して上記手段１乃至手段２９のいずれかの効果を享受することができる。
【０１０７】
手段３３．手段３０乃至手段３２のいずれかにおいて、遊技媒体の払い出しを行う払出手段（払出装置３５８）を備え、前記特典として前記払出手段により遊技媒体の払い出しを行う構成とし、前記払出手段を制御する払出制御手段を備えた制御基板を有する制御基板装置（払出制御装置３１１）に対して前記シールを貼り付けたことを特徴とする遊技機。
【０１０８】
手段３３によれば、払出制御手段を備えた制御基板に対して上記手段１乃至手段２９のいずれかの効果を享受することができる。即ち、制御基板に対して不正を行い、遊技媒体の払い出しを受けようとする行為を抑制することができる。
【０１０９】
（第１の実施の形態）
以下、遊技機の一種であるパチンコ遊技機（以下、「パチンコ機」という）の第１の実施の形態を、図面に基づいて詳細に説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２、図３では便宜上、パチンコ機１０の遊技領域内の構成を空白としている。
【０１１０】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。外枠１１を合成樹脂やアルミニウム等の金属によって構成することも可能である。
【０１１１】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。本体枠１２は合成樹脂、具体的にはＡＢＳ樹脂により構成されている。ＡＢＳ樹脂を用いることにより、比較的低コストで耐衝撃性の高い本体枠１２を得ることができる。本体枠１２をアルミニウム等の金属によって構成してもよい。なお本実施の形態では、外枠１１と本体枠１２とにより遊技機本体が構成されている。外枠１１に代わる構成として設置枠体を遊技ホール側に予め設けておき、遊技ホールへのパチンコ機１０の設置に際しては本体枠１２を前記設置枠体に組み付ける構成とすることも可能である。
【０１１２】
本体枠１２の前面側の下部位置には、前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成する奥壁パネル１７とを備えている。ベース部１５は本体枠１２に対してネジ等の締結部材により固定されていることから、ベース部１５が本体枠１２に対する取付部を構成している。ベース部１５には膨出部１５ａよりも右方に、手前側へ突出するようにして遊技球発射ハンドル１８が設けられている。奥壁パネル１７には球排出口１７ａが設けられており、球排出口１７ａより排出された遊技球が下皿１６内に貯留されるようになっている。
【０１１３】
ベース部１５の膨出部１５ａ前面側にはスライド式の球抜きレバー１９が設けられている。なお、球抜きレバー１９はプッシュ式としてもよい。そして、球抜きレバー１９が操作されると下皿１６の底面に設けられた図示しない閉鎖板が一体に又はリンクを介して移動して球抜き穴が開放され、下皿１６内の貯留球が下方に排出されるよう構成されている。球抜きレバー１９には球抜き穴を塞ぐ側へ球抜きレバー１９を付勢するコイルバネ等の付勢部材が設けられ、球抜きレバー１９の操作が解除された際には付勢部材の付勢力によって閉鎖板が球抜き穴の開放位置に復帰する構成となっている。奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【０１１４】
ベース部１５には膨出部１５ａの左方に灰皿２１が設けられている。灰皿２１は、内部に溜まった吸い殻等を除去しやすいように手前側下方に反転可能に取り付けられており、その右側面と背面とでベース部１５に対面している。具体的な図示は省略するが、灰皿２１の右側面には当該灰皿２１を回動可能な状態で片持ち支持するための支軸が設けられ、同背面には灰皿２１が図示のように上方に開口した位置でベース部１５に係止される係止部が設けられている。前面板１４はその大部分が本体枠１２と同様、ＡＢＳ樹脂にて成形されている。前面板１４はパチンコ機１０の前面側に露出されるが、ＡＢＳ樹脂で成形していることによって、装飾等の目的で表面の適宜箇所にメッキを施すことが可能となる。なお、灰皿２１が近くに配置されている関係上、下皿１６と奥壁パネル１７とを構成する部位に関しては難燃性のＡＢＳ樹脂を用い、仮に誤ってたばこ等を置いても燃えにくくなるよう構成することが好ましい。
【０１１５】
本体枠１２の前面側の前面板１４を除く範囲には、本体枠１２を覆うようにして前面扉としての前扉枠１３が設けられている。従って、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。なお、前扉枠１３は前面板１４と同様、ＡＢＳ樹脂にて成形されている。前扉枠１３はパチンコ機１０の前面側に露出されるが、ＡＢＳ樹脂で成形していることによって、装飾等の目的で表面の適宜箇所にメッキを施すことが可能となる。
【０１１６】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら遊技球発射装置側へ導くための球受皿である。膨出部２２前面側には上皿２３用の球抜きレバー２４が設けられており、この球抜きレバー２４を操作すると上皿２３の最下流部付近に設けられた球抜き通路（図示略）が開放され、上皿２３内の貯留球が下皿１６へ排出されるようになっている。なお、上皿２３も下皿１６等と同様、難燃性のＡＢＳ樹脂にて構成することが可能である。
【０１１７】
図３に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図４に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。
【０１１８】
次に、遊技盤３０の構成を図４に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。実際には、一般入賞口３１、可変入賞装置３２、作動口３３、スルーゲート３４及び可変表示ユニット３５は木ねじ等により遊技盤表面に取り付けられている。本実施の形態では、可変表示ユニット３５が遊技盤３０の略中央に配置され、その下方に作動口３３が配置され、さらにその下方に可変入賞装置３２が配置されている。また、可変表示ユニット３５の左右両側にスルーゲート３４が配置され、遊技盤３０の下部両側に一般入賞口３１がそれぞれ複数配置されている。作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。アウト口３６は、遊技盤３０の下端略中央を逆Ｕ字状に切り欠いて形成されている。そのため、アウト口を穴状に形成していた従来構成に比べ、アウト口形成が容易となる（但し、図４では手前側にレールユニット５０が重ねて設けられているため、アウト口３６が閉じた状態で示されている）。また、遊技盤３０には、遊技球の落下方向を適宜分散、調整等するために多数の釘が植設されていると共に、風車３７等の各種部材（役物）が配設されている。
【０１１９】
遊技盤３０の左右両側部には、組付相手である本体枠１２の左右両側からの張出領域との干渉を回避するように凹部としての切欠３８が複数箇所に形成されている。
【０１２０】
可変表示ユニット３５には、作動口３３への入賞をトリガとして第１図柄（特別図柄）を変動表示する図柄表示装置４１が設けられている。可変表示ユニット３５には、図柄表示装置４１を囲むようにしてセンターフレーム４３が配設されている。このセンターフレーム４３は、その上部がパチンコ機１０前方に延出している。これにより、図柄表示装置４１の表示画面の前方を遊技球が落下していくのが防止されており、遊技球の落下により表示画面の視認性が低下するといった不都合が生じない構成となっている。センターフレーム４３の上部中央には、第１特定ランプ部４７及び第２特定ランプ部４８が横並びの状態で設けられている。また、これら両特定ランプ部４７，４８が配設された領域を挟むように、第１特定ランプ部４７及び図柄表示装置４１に対応した保留ランプ４４が設けられている。遊技球が作動口３３を通過した回数は最大４回まで保留され、保留ランプ４４の点灯によってその保留個数が表示されるようになっている。なお、保留ランプ４４は、図柄表示装置４１の一部で変動表示される構成等であっても良い。上述したように、センターフレーム４３の上部がパチンコ機１０前方に延出していることにより、保留ランプ４４、第１特定ランプ部４７及び第２特定ランプ部４８の視認性が遊技球の落下により阻害されない構成となっている。センターフレーム４３の下部には、第２特定ランプ部４８に対応した保留ランプ４６が設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、図柄表示装置４１の一部で変動表示される構成等であっても良い。
【０１２１】
図柄表示装置４１は８インチサイズの液晶ディスプレイを備えた液晶表示装置として構成されており、後述する表示制御装置により表示内容が制御される。図柄表示装置４１には、例えば左、中及び右に並べて第１図柄が表示され、これらの図柄が上下方向にスクロールされるようにして変動表示されるようになっている。そして、予め設定されている有効ライン上に所定の図柄の組合せが停止表示された場合には、大当たり発生となると共にそれ以降の遊技状態が特別遊技状態としての大当たり状態に移行することとなる。この図柄の変動表示については、後に詳細に説明することとする。なお、図柄表示装置４１は、８インチ以外の１０インチ，７インチ等の液晶ディスプレイを備えたもの、ワイドサイズのディスプレイを備えたもの、又はＣＲＴ，ドットマトリックス，７セグメント等その他のタイプにより表示画面を構成したものであってもよい。
【０１２２】
第１特定ランプ部４７には、その内側に赤、緑、青の３色発光タイプのＬＥＤランプが配設されている。そして、作動口３３への入賞をトリガとして、所定の順序で発光色の切り替えが行われる。具体的には、作動口３３への入賞をトリガとして、赤色光が点灯され、その状態で所定時間が経過すると緑色光に発光色が切り替えられる。そして、緑色光が点灯された状態で前記所定時間が経過すると青色光に発光色が切り替えられる。その後、発光色の切り替え停止時期がくるまで、赤色、緑色、青色という順序で発光色の切り替えが繰り返し行われる。これにより、第１特定ランプ部４７には、赤色、緑色、青色が、この順序で繰り返し表示されることとなる。そして、最終的に赤色又は緑色が停止表示された場合には、大当たり発生となると共にそれ以降の遊技状態が大当たり状態に移行し、青色が停止表示された場合には、大当たり発生とならず大当たり状態に移行しない。また、本実施形態では、最終的に赤色で停止表示された場合と、最終的に緑色で停止表示された場合とで移行する大当たり状態が異なっており、後者の方がより遊技者に有利な大当たり状態に移行する。この発光色の切り替えに関しては、後に詳細に説明することとする。
【０１２３】
一方、第２特定ランプ部４８には、その内側に赤、緑の２色発光タイプのＬＥＤランプが配設されている。この第２特定ランプ部４８は、スルーゲート３４の通過をトリガとして、所定の順序で発光色の切り替えが行われる。具体的には、遊技球がスルーゲート３４を通過すると、赤色光の点灯と緑色光の点灯とが交互に行われる。これにより、第２特定ランプ部４８には、赤色、緑色が交互に表示されることとなる。そして、赤色が停止表示された場合には、作動口３３に付随する電動役物が所定時間だけ開放状態となるよう構成されている。
【０１２４】
可変入賞装置３２は、通常は遊技球が入賞できない又は入賞し難い閉状態になっており、大当たり状態に移行すると遊技球が入賞しやすい所定の開放状態に切り換えられるようになっている。より詳しくは、大当たり状態に移行すると、可変入賞装置３２が所定の開放状態となり、遊技球が入賞し易い状態となる。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１６ラウンド）を上限として可変入賞装置３２が繰り返し開放されるものが一般的である。
【０１２５】
遊技盤３０には、遊技球発射装置から発射された遊技球を遊技盤３０上部へ案内するためのレール部材としてのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品にて構成されており、より具体的には、摩擦抵抗を低減するべくフッ素配合のポリカーボネート樹脂が用いられている。レールユニット５０は、内外二重に設けられた内レール部５１と外レール部５２とを有する。内レール部５１は上方の約１／４ほどを除いて略円環状に形成され、外レール部５２は内レール部５１の上方開放領域を囲むようにかつ内レール５１の左側部と並行するように略半円環状に形成されている。
【０１２６】
内レール部５１は、他の樹脂部分と一体成型され、遊技盤３０の面上にほぼ垂直に起立して設けられている。また、外レール部５２は、内レール部５１と同様に他の樹脂部分と一体成型され、遊技盤３０の面上にほぼ垂直に起立して設けられた支持部５２ａを有し、その支持部５２ａの内側面に、遊技球の飛翔をより滑らかなものとするための摺動プレート５２ｂが取り付けられている。摺動プレート５２ｂは、長尺状をなすステンレス製の金属帯よりなり、複数箇所で支持部５２ａに支持されている。かかる場合、内レール部５１と外レール部５２とにより誘導レールが構成され、これら各レール部５１，５２が所定間隔を隔てて対向する部分により球案内通路が形成されている。なお、内外のレール部５１，５２が対向する部位では、遊技盤３０との当接部５３により各レール部５１，５２が連結されており、球案内通路は手前側に開放した溝状に形成されている。
【０１２７】
レールユニット５０において、前記球案内通路より遊技球が飛び出す部位（図４の左上部）には戻り球防止部材５４が取着され、該飛び出した遊技球の最大飛翔部分に対応する部位（図４の右上部）には返しゴム５５が取着されている。戻り球防止部材５４により、一旦球案内通路から遊技盤３０の上部へと飛び出した遊技球が球案内通路内に戻ってしまうといった事態が防止される。また、所定以上の勢いで発射された遊技球は返しゴム５５に当たり、遊技領域の中央寄りに跳ね返されるようになっている。
【０１２８】
レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされる。ここで、レールユニット５０の上下及び左右の各端部は略直線状に形成されている。つまり、レールユニット５０の上下及び左右の各端部においてはフランジ５６が切り落とされ、パチンコ機１０における有限の領域にてレール径の拡張、すなわち遊技盤３０上の遊技領域の拡張が図られるようになっている。レールユニット５０は、遊技盤３０上の遊技領域の最大幅となる位置が遊技盤３０の左右端位置に至るように配設されている。なお、レールユニット５０の球案内通路に対応する部位のなかでも特に遊技球の受け入れ部位に関しては、当該レールユニット５０を強固に取り付けて遊技球の飛びを安定させるべく、該当するフランジ５６が他よりも多い箇所（本実施の形態では３カ所、他は２カ所）でネジ止めされている。
【０１２９】
内レール部５１及び外レール部５２間の球案内通路の入口には、同球案内通路の一部を閉鎖するようにして凸部５７が形成されている。凸部５７は、内レール部５１の外周部から下方へ延びるように形成され、遊技領域まで至らず球案内通路内を逆流してくるファール球をファール球通路７６（図３参照）に導く機能を有する。遊技盤３０の右下隅部及び左下隅部は、証紙等のシールやプレートを貼着するためのスペース（図のＳａ，Ｓｂ）となっており、この貼着スペースを確保するために、フランジ５６に切欠５８ａ，５８ｂが形成されている。証紙等のシールを遊技盤３０に直接貼り付ける構成とすることで、証紙等の不正な貼り直し等が行いにくいものとなっている。
【０１３０】
遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【０１３１】
図３の説明に戻り、前記樹脂ベース２５において、窓孔２６（遊技盤３０）の下方には、遊技球発射装置より発射された直後に遊技球を案内するための発射レール６１が取り付けられている。発射レール６１は、その後方の金属板６２を介して樹脂ベース２５に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後球案内通路を通じて遊技領域に案内される。ここで本実施の形態では、遊技球の発射位置を低くして発射レール６１の傾斜角度（発射角度）を既存のものよりも幾分大きくし（すなわち発射レール６１を立ち上げるようにし）、また発射レール６１を遊技球発射装置の発射位置から遊技領域の中央位置（アウト口３６）を越える位置まで延びるよう形成することで発射レール６１の長さを既存のものよりも長くして十分な長さの球誘導距離を確保するようにしている。これにより、遊技球発射装置から発射された遊技球をより安定した状態で球案内通路に案内できるようにしている。さらに打出球の安定化を図るべく、発射レール６１を設置した金属板６２を大型化すると共に該金属板６２を多数箇所（本実施の形態では１５〜２０カ所）でネジ止めしており、これにより発射レール６１が遊技盤３０に対して強固に位置決めされている。
【０１３２】
発射レール６１と球案内通路との間には所定間隔の隙間があり、この隙間より下方にファール球通路７６が設けられている。従って、仮に遊技球発射装置から発射された遊技球が戻り球防止部材５４まで至らずファール球として球案内通路内を逆戻りする場合には、そのファール球がファール球通路７６を介して下皿１６に排出される。
【０１３３】
ファール球が球案内通路内を逆流してくる際、その多くは外レール部５２に沿って流れ、外レール部５２の下端部に到達した時点で下方に落下するが、一部のファール球は球案内通路内で暴れ、内レール部５１側へ跳ね上がるものもある。この際、跳ね上がったファール球は、球案内通路入口の前記凸部５７に当たり、ファール球通路７６に誘導される。これにより、ファール球の全てがファール球通路７６に確実に案内され、ファール球と次に発射される遊技球との干渉が抑制される。
【０１３４】
なお、詳しい図面の開示は省略するが、遊技球発射装置には、前扉枠１３側の球出口（上皿２３の最下流部より通じる球出口）から遊技球が１つずつ供給される。この際、本実施の形態では遊技球の発射位置を低くしたため、前扉枠１３側の球出口から前記発射位置への落差が大きくなるが、発射レール６１の発射基端部付近にはその右側と手前側にそれぞれガイド部材６３，６４を設置してある。これにより、前扉枠１３側の球出口から供給される遊技球が常に所定の発射位置にセットされ、安定した発射動作が実現できる。また、遊技球発射装置には、基端部を中心に回動可能に支持された打球槌が設けられ、打球槌の回動に伴い遊技球が発射されるが、打球槌に関して軽量化が望まれている。それ故、アルミニウム等の軽金属への材料変更や槌シャフト部寸法の縮小化により打球槌の軽量化を図る一方で、十分な発射力を確保すべく、打球槌のヘッド部（基端部と反対側の先端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果も得られる。
【０１３５】
また、本体枠１２の前面において発射レール６１の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。これら排出口６６，６７は、本体枠１２の背面に設けられた遊技球分配部２４５（図１０参照）に通じており、基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【０１３６】
遊技球案内ユニット７０は、ポリカーボネート樹脂等の透明な樹脂材料により内部を視認可能に構成され、本体枠１２に対して前扉枠１３を閉鎖した状態で本体枠１２と前扉枠１３との間に収まるよう厚みが比較的薄くなるように形成されている。遊技球案内ユニット７０には、前述のファール球通路７６が一体的に形成されている。遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【０１３７】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。従って、連通口７２の上流側に遊技球が貯留されている状態で前扉枠１３を開放した場合、その貯留球は連通口７２よりこぼれ落ちることなく、球排出通路７１を通じて下皿１６に流下する。つまり、前飾り枠が省略され前扉枠１３に対して上皿２３が直接設けられる構成とした本パチンコ機１０にあっても、前扉枠１３の開放に際し連通口７２の上流側にある遊技球がこぼれ落ちてしまうといった不都合が防止できる。これに対し、前扉枠１３を閉鎖した状態では、前扉枠１３の裏面に設けられた球通路樋１３８（図２参照）によりバネ７５の付勢力に抗して開閉プレート７３が押し開けられる。この状態では、第１排出口６６より排出される遊技球が連通口７２を介して上皿２３に案内される。従って、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【０１３８】
樹脂ベース２５には、窓孔２６の右下部に略四角形状の小窓７８が設けられている。従って、遊技盤３０の右下隅部スペース（図４のＳａ）に貼られた証紙等は、この小窓７８を通じて視認できるようになっている。この小窓７８から遊技盤３０上に証紙等を直接貼り付けることも可能である。
【０１３９】
樹脂ベース２５には、窓孔２６の左上部にも小窓７９が設けられている。この小窓７９は、図４で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。樹脂ベース２５の上部には、前扉枠１３の開放の状態を検出するための前扉枠開放スイッチ２７が設けられている。前扉枠開放スイッチ２７は、樹脂ベース２５の前面に出没可能なピンを有しており、本体枠１２に対して前扉枠１３を閉じた状態ではピンが押し込まれて前扉枠１３の閉鎖が検知され、本体枠１２に対して前扉枠１３を開いた状態ではピンが突出位置に戻って前扉枠１３の開放が検知されるようになっている。樹脂ベース２５の左右２カ所には、本体枠１２に対して前扉枠１３を閉じた際に前扉枠１３背面の金具類（図５に示す補強板１３１〜１３４）に接触し、且つその金具類を本体枠１２側に導通させてアース（接地）するための金属片２８ａ，２８ｂが取り付けられている。従って、金属片２８ａ，２８ｂを通じて、前扉枠１３背面の金具類が本体枠１２側の施錠装置やヒンジ金具に導通され、これら施錠装置やヒンジ金具と共にアースされる。
【０１４０】
本体枠１２の左端側（開閉軸線側）には、前扉枠１３を開閉可能に支持するための支持機構として、上下一対の支持金具８１，８２が取り付けられている。上側の支持金具８１には手前側に切欠を有する支持孔８３が設けられ、下側の支持金具８２には上方へ突出する突起軸８４が設けられている。なお、支持金具８１，８２に支持される前扉枠１３の具体的構成については後述する。また、本体枠１２の右端側（開閉軸線とは反対側）には、前扉枠１３裏面側の開放端側に設けた上下一対の鉤金具１５５，１５６（図２参照）を挿入するための挿入孔８７，８８がそれぞれ設けられている。本パチンコ機１０では、本体枠１２や前扉枠１３を施錠状態とするための施錠装置が本体枠１２の裏面側に隠れて配置される構成となっている。従って、鉤金具１５５，１５６が挿入孔８７，８８を介して施錠装置に係止されることによって、前扉枠１３が本体枠１２に対して開放不能に施錠される。
【０１４１】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。この場合、シリンダ錠９１は、遊技領域の最大幅となる位置とは異なる位置に設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【０１４２】
図２に示すように、本体枠１２には、シリンダ錠９１を囲むようにして縦長状のカバー部材９２が取り付けられている。詳細な図示は省略するが、カバー部材９２には、その上端部及び下端部に係止部（フック）が形成されている。従って、上側の係止部を本体枠１２側に係止させると共に、下側の係止部を本体枠１２と前面板１４との間に挟み込むことにより、カバー部材９２が本体枠１２に取り付けられる。前扉枠１３には、カバー部材９２の形状に合わせて切欠部１４５が形成されており、前扉枠１３を閉鎖した状態ではこの前扉枠１３と共にカバー部材９２がパチンコ機前面部を構成する。なお、前扉枠１３を閉鎖したとき、カバー部材９２に形成された鍔部が前扉枠１３により押さえられ、カバー部材９２のがたつきが防止されるようになっている。
【０１４３】
次に、前扉枠１３について図１，図５を参照しつつ説明する。なお、図５は、前扉枠１３の背面図である。
【０１４４】
前扉枠１３には遊技領域のほぼ全域を前方から視認することができるようにした視認窓としての窓部１０１が形成されている。窓部１０１は、円形に近い略楕円形状をなし、より詳しくは、その左右側の略中央部が上下側に比べて緩やかに湾曲した形状となっている。なお、前記略中央部が直線状になる形状であってもよい。
【０１４５】
前扉枠１３の下端部における左右両側には、本体枠１２表面や遊技盤３０表面等（証紙等を含む）の一部を視認できるよう透明樹脂を取り付けた小窓１０７が設けられている。小窓１０７に取り付けられる透明樹脂は、その内部の証紙等を工場等で容易に機械読み取りできるよう平坦状に構成される。但し、小窓１０７に、内部の証紙等をホール作業者等が容易に目視できるよう拡大レンズ部を設けることも可能である。
【０１４６】
前扉枠１３にはその周囲（例えばコーナー部分）に各種ランプ等の発光手段が設けられている。これら発光手段は、大当たり状態下や所定のリーチ演出時等において点灯、点滅のように発光態様が変更制御されることにより、遊技中の演出効果を高める役割を果たす。例えば、窓部１０１の周縁に沿ってＬＥＤ等の発光手段を内蔵した環状電飾部１０２が左右対称に設けられ、環状電飾部１０２の中央であってパチンコ機１０の最上部にはＬＥＤ等の発光手段を内蔵した中央電飾部１０３が設けられている。本パチンコ機１０では、中央電飾部１０３が大当たりランプとして機能し、大当たり状態下で点灯や点滅を行うことにより大当たり状態に移行していることを報知する。また、上皿２３周りにも、同じくＬＥＤ等の発光手段を内蔵した上皿電飾部１０４が設けられている。その他、中央電飾部１０３の左右側方には、賞球払出中に点灯する賞球ランプ１０５と所定のエラー時に点灯するエラー表示ランプ１０６とがそれぞれ設けられている。なお、環状電飾部１０２は、内外二重の樹脂カバー層とその内側に収容された発射板付き発光体（ＬＥＤ）とよりなり、樹脂カバー層の各々の内側面には各層で縦横に交差する向きに突条（又は波状の突起）が設けられている。外側の樹脂カバー層は透明であり、内側の樹脂カバー層は有色である。従って、環状電飾部１０２を発光させれば、多数に分散化された状態、又は立体感を伴った状態の電飾が実現できるようになる。樹脂カバー層には、ガラス粉末入りの樹脂材料を用いると良い。このような樹脂カバー層の構成は、他の電飾部（例えば中央電飾部１０３や賞球ランプ１０５）に適用することもできる。
【０１４７】
前扉枠１３には、窓部１０１の下方位置に、貸球操作部１２０が配設されている。貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で、貸球操作部１２０によって球貸し操作、カード返却操作及びカード度数の確認を行うことができる。すなわち、球貸しボタン１２１は、カード等（記録媒体）に記録された情報に基づいて貸出球を得るために操作されるものであり、カード等に残額が存在する限りにおいて貸出球が払い出される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機（いわゆる現金機）では貸球操作部１２０が不要となるが、かかる場合には、貸球操作部１２０の設置部分に飾りシール等が付されるようになっている。これにより、貸球操作部１２０を設けた本パチンコ機１０の構成において、カードユニットを用いたパチンコ機（いわゆるＣＲ機）と現金機との共用が可能となる。
【０１４８】
前扉枠１３の裏側には、窓部１０１を囲むようにして金属製の各種補強部材が設けられている。詳しくは、図５に示すように、前扉枠１３の裏側にあって窓部１０１の左右及び上下の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。これにより、補強板１３１〜１３４による電気経路の閉じたループが切断され、ノイズの原因となる磁界の発生等が防止されている。
【０１４９】
図５の右側となる開閉軸線側の補強板１３１にはその上端部及び下端部に、本体枠１２に対する組付機構として、組付金具１５１，１５２が取り付けられている。そして、本体枠１２側の支持金具８１，８２（図３参照）に対して前扉枠１３側の組付金具１５１，１５２が取り付けられている。すなわち、下側の組付金具１５２には下面に開口する軸穴が形成されており、その軸穴に下側の支持金具８２の突起軸８４が挿入される一方、上側の組付金具１５１の軸部が上側の支持金具８１の支持孔８３に挿入されることにより、本体枠１２に対して前扉枠１３が開閉可能に支持されている。また、同補強板１３１にはその中間位置にフック状をなす係合爪１３１ａが設けられており、この係合爪１３１ａは、前扉枠１３を閉じた状態で本体枠１２の孔部１２ａ（図３参照）に挿入されるように構成されている。これにより、上皿２３を含む形態で前扉枠１３を構成し、その上下の軸支間隔を長くした本パチンコ機１０においても、中間位置における前扉枠１３の浮き上がりが防止できる。それ故、前扉枠１３を浮かしての不正行為等が抑制されるようになっている。
【０１５０】
図５の左側となる開閉軸線とは反対側の補強板１３２には鉤形状をなす上下一対の鉤金具１５５，１５６が取り付けられている。これら鉤金具１５５，１５６は、後方に延び、本体枠１２に設けた挿入孔８７，８８（図３参照）に対応するようにして設けられている。本体枠１２に対して前扉枠１３を閉鎖した際、鉤金具１５５，１５６が本体枠１２側の挿入孔８７，８８に挿入されて施錠装置により施錠状態とされるようになっている。
【０１５１】
下側の補強板１３４には、前記発射レール６１に対向する位置に樹脂ケース１３６が取り付けられている。樹脂ケース１３６には、前記貸球操作部１２０用の回路基板が収容されている。樹脂ケース１３６の背面（図５に見える面）は平坦状をなし、前扉枠１３を閉じた際に発射レール６１の側壁を構成するようになっている。故に、発射レール６１から遊技球が前方にこぼれ落ちることが防止される。
【０１５２】
下側の補強板１３４の一部を切り欠いた部位には、パチンコ機１０後方に向けて球通路樋１３８が設置されており、球通路樋１３８の少なくとも上方には、同じくパチンコ機１０後方に向けて延びる庇（ひさし）部１３９が設けられている。この場合、本体枠１２側に前扉枠１３を閉じた状態では、球通路樋１３８と庇部１３９との間に、本体枠１２側の連通口７２上辺に沿って延びる突条が入り込むようにして配置される。故に、球通路樋１３８より針金やフィルム等を侵入させて不正行為を行おうとしても、遊技領域にまで針金やフィルム等を侵入させることが非常に困難となる。結果として、針金やフィルム等を利用して行われる不正行為を防止することができる。
【０１５３】
上述した補強板１３１〜１３４はガラス支持用の金枠としての機能も兼ね備えており、これら補強板１３１〜１３４の内側が後方に折り返されてガラス保持溝が形成されている。ガラス保持溝は前後に２列形成されており、矩形状をなす前後一対のガラス１３７が各ガラス保持溝にて保持される。これにより、２枚のガラス１３７が前後に所定間隔を隔てて取着されている。
【０１５４】
前扉枠１３を閉じた状態にあっては、内外のレール部５１，５２間に形成された球案内通路の一部が前扉枠１３により覆い隠される構成となっている。それ故、球案内通路では手前側の開放部がガラス１３７で覆えない部分ができてしまう。かかる場合、例えば、遊技球発射装置より発射された遊技球が戻り球防止部材５４まで至らず戻ってくると、遊技球が球案内通路外に飛び出したり、外レール部５２とガラス１３７との間にできる隙間に挟まってしまうおそれがある。そこで本実施の形態では、前扉枠１３に、球案内通路の手前側開放部を被覆するためのレールカバー１４０を取り付けている。レールカバー１４０は略円弧状をなす板体であって、透明な樹脂により形成されている。レールカバー１４０は、その円弧形状が前記球案内通路の形状に対応しており、窓部１０１の周縁部に沿って、球案内通路の基端部から先端部近傍までの区間を覆うようになっている。特にレールカバー１４０の内径側の寸法・形状は内レール部５１のそれにほぼ一致する。また、レールカバー１４０の右端部（すなわち、レールカバー１４０を前扉枠１３に取着した図５の状態で右端となる部位）には、球案内通路がガラス１３７の側縁部からはみ出した部分を被覆するための被覆部１４１が設けられている。以上のレールカバー１４０の構成により、前扉枠１３が閉じられた状態においては、レールカバー１４０の裏面が球案内通路のほぼ全域を覆うこととなって、遊技球が球案内通路外に飛び出したり、外レール部５２とガラス１３７との間にできる隙間に挟まってしまうといった不具合の発生を防止することができる。
【０１５５】
また、レールカバー１４０の下部裏側には、その内側縁に沿って円弧状に延び且つ後方へ向けて突出する突条１４２が形成されている。突条１４２は、前扉枠１３が閉じられた状態において、球案内通路内に入り込んだ状態で内レール部５１に重なり合うように配置される。従って、例えば前扉枠１３と本体枠１２との隙間から針金やフィルム等を侵入させて不正行為を行おうとしても、球案内通路の内側にある遊技領域にまで針金やフィルム等を侵入させることが非常に困難となる。その結果、針金やフィルム等を利用して行われる不正行為を防止することができる。なお、突条１４２をより広い範囲で、例えばレールカバー１４０の内側縁の全域に沿って形成する構成としても良く、かかる構成によれば、より広い範囲で針金やフィルム等を侵入させにくくなり、針金やフィルム等を利用して行われる不正行為をより確実に防止することができる。
【０１５６】
次に、パチンコ機１０の背面の構成を説明する。なお、図６はパチンコ機１０の背面図、図７はパチンコ機１０の背面構成を主要部品毎に分解して示す分解斜視図である。
【０１５７】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７１（主基板２８０）と音声ランプ制御装置２７２（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【０１５８】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図８の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【０１５９】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【０１６０】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【０１６１】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。従って、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。より具体的な構成については後述する。
【０１６２】
次に、本体枠１２及び遊技盤３０の裏面構成を説明する。なお、図９は本体枠１２に遊技盤３０を組み付けた状態でかつ前記各ユニット２０１〜２０３等を取り外した状態の構成を示す背面図、図１０は本体枠１２を後方より見た斜視図、図１１は遊技盤３０を後方より見た斜視図である。
【０１６３】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図９にはロック状態を示す。左右３カ所の係止固定具２１１は金属片を折り曲げ形成したＬ型の金具であり、遊技盤３０の固定状態で本体枠１２の外方へ張り出さないよう構成されている。なお、下部１カ所の係止固定具２１２は合成樹脂製のＩ型の留め具である。
【０１６４】
遊技盤３０の中央に配置される可変表示ユニット３５には、センターフレーム４３（図４参照）を背後から覆う合成樹脂製のフレームカバー２１３が後方に突出して設けられており、そのフレームカバー２１３の後端に、図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【０１６５】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【０１６６】
遊技球回収機構について説明すると、集合板ユニット２１５の下方には、前記一般入賞口３１、可変入賞装置３２、作動口３３の遊技盤開口部に対応し且つ下流側で１カ所に集合する回収通路２１６が形成されている。また、遊技盤３０の下方には、本体枠１２にポリカーボネート樹脂等の合成樹脂製の排出通路盤２１７が取り付けられており、排出通路盤２１７には排出球をパチンコ機１０外部の例えば遊技ホールの島設備等へ案内するための排出通路２１８が形成されている。従って、図９に仮想線で例示するように、一般入賞口３１等に入賞した遊技球は何れも集合板ユニット２１５の回収通路２１６を介して集合し、さらに排出通路盤２１７の排出通路２１８を介してパチンコ機１０外部に排出される。なお、アウト口３６も同様に排出通路２１８に通じており、何れの入賞口にも入賞しなかった遊技球も排出通路２１８を介してパチンコ機１０外部に排出される。上記構成では、遊技盤３０の下端面を境界にして、上方に集合板ユニット２１５（回収通路２１６）が、下方に排出通路盤２１７（排出通路２１８）が設けられており、排出通路盤２１７が遊技盤３０に対して前後方向に重複していない。従って、遊技盤３０を本体枠１２から取り外す際において、排出通路盤１７が遊技盤取り外しの妨げになるといった不都合が生じることもない。
【０１６７】
なお、排出通路盤２１７は、パチンコ機１０前面の上皿２３の裏側に配置されており、上皿２３に至る球排出口（図２の球通路樋１３８）より針金やフィルム等を差し込み、さらにその針金やフィルム等を本体枠１２と排出通路盤２１７との隙間を通じて遊技領域側に侵入させるといった不正行為が考えられる。そこで、本パチンコ機１０では、図１０に示すように、排出通路盤２１７には、球通路樋１３８の上部位置に対応する高さ位置に、本体枠１２に重なり合うようにしてパチンコ機１０前方に延びるプレート２１９を設けた。従って、本体枠１２と排出通路盤２１７との隙間から針金やフィルム等を侵入させようとしてもそれがプレート２１９にて阻害され、遊技領域にまで針金やフィルム等を侵入させることが非常に困難となる。その結果、針金やフィルム等を利用して可変入賞装置３２を強制的に開放する等の不正行為を防止することができる。
【０１６８】
入賞検知機構について説明すると、集合板ユニット２１５には、遊技盤３０表側の一般入賞口３１と対応する位置に入賞口スイッチ２２１が設けられ、可変入賞装置３２と対応する位置に特定領域スイッチ２２２及びカウントスイッチ２２３が設けられている。特定領域スイッチ２２２は、可変入賞装置３２へ入賞した遊技球が特定領域に入ったことを判定するスイッチである。特定領域とはラウンドの更新可否を判定するための領域であり、Ｖゾーンとも称されている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、特定領域スイッチ２２２及びカウントスイッチ２２３は大入賞口中継基板２２７に接続されている。そして、盤面中継基板２２６及び大入賞口中継基板２２７が主制御装置２７１に接続されている。作動口スイッチ２２４は中継基板を介さずに直接主制御装置２７１に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【０１６９】
上記入賞検知機構にて各々検出された検出結果は主制御装置２７１に取り込まれ、該主制御装置２７１よりその都度の入賞状況に応じた払出指令（遊技球の払出個数）が払出制御装置３１１に送信される。そして、払出制御装置３１１の出力により所定数の遊技球の払出が実行されるようになっている。ここで、従来のいわゆる証拠球方式では、各種入賞口に入賞した遊技球を入賞球処理装置に一旦集め、その入賞球処理装置で入賞球の存在を１つずつ順番に確認した上で払出を行うようにしていたが、本実施の形態のパチンコ機１０では、各種入賞口毎に遊技球の入賞を電気的に検知して払出が直ちに行われるようにしているため、払い出す遊技球が多量にあってもその払出をいち早く実施することが可能となるとともに、入賞球処理装置が不要となる。
【０１７０】
集合板ユニット２１５には、その右上部に盤用外部端子板２３０が設けられている。盤用外部端子板２３０には、第１図柄の変動が停止（確定）する毎に信号出力するための出力端子と、大当たり状態又は第１図柄の変動時間短縮時に信号出力するための出力端子と、大当たり状態下で信号出力するための出力端子とが設けられている。そして、これらの出力端子を通じて、遊技ホール側の管理制御装置に対して遊技（遊技盤３０側の状態）に関する信号が出力される。盤用外部端子板２３０は、取り外し容易な状態で集合板ユニット２１５に取り付けられている。なお、図９に示すように、本体枠１２裏側の左下部には、打球槌等を備えるセットハンドル２２８及び発射モータ２２９が設けられている。
【０１７１】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔２３１ａが形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【０１７２】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。この軸受け金具２３５は補強部材としても機能する。図１２に示すように、軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。なお、第２制御基板ユニット２０２用の軸受け部２３７と裏パックユニット２０３用の軸受け部２３８とを各々個別の軸受け金具で構成することも可能である。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。なお、裏パックユニット２０３は、その上部に大量の遊技球を貯留することから、裏パックユニット２０３の上部を支持するための固定具２４１，２４２に関しては特に十分な強度を持つ構成とするのが望ましく、本実施の形態では回動式の固定具を用いている。
【０１７３】
上記の如く本体枠１２の左右一側部（図９では右側部）には長尺状の軸受け金具２３５が設けられる一方、本体枠１２の左右他側部（図９では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【０１７４】
なお、本体枠１２の左右側部に軸受け金具２３５と施錠装置（基枠２４７、連動杆２４８等）とが振り分けられる上記構成において、これら軸受け金具２３５及び施錠装置（基枠２４７、連動杆２４８等）を配置するための領域を残した幅となるようにして、本体枠１２に前記遊技盤３０が取り付けられている。
【０１７５】
本体枠１２の背面における遊技盤３０の右下部には、後述する払出機構より払い出される遊技球を上皿２３、下皿１６又は排出通路２１８の何れかに振り分けるための遊技球分配部２４５が設けられている。遊技球分配部２４５は、左側の開口部２４５ａが第１排出口６６を介して上皿２３に通じ、中央の開口部２４５ｂが第２排出口６７を介して下皿１６に通じ、右側の開口部２４５ｃが排出通路２１８に通じるように、各通路が形成されている。遊技球分配部２４５は、本体枠１２に対してネジ等により強固に取り付けられている。従って、遊技球分配部２４５の設置部位における浮き上がりが防止され、隙間から針金やフィルム等を侵入させることによる不正行為が防止できるようになっている。なお、本体枠１２の下端部には、奥壁パネル１７の裏側に設置されたスピーカ２０の背後を囲むための合成樹脂製のスピーカボックス２４６が取り付けられており、スピーカボックス２４６がスピーカ音を後方へ逃さないように機能することで低音域の音質改善が図られている。
【０１７６】
次に、第１制御基板ユニット２０１の構成を図１３〜図２１に基づいて説明する。図１３は第１制御基板ユニット２０１の正面図、図１４は第１制御基板ユニット２０１の斜視図、図１５は第１制御基板ユニット２０１の分解斜視図、図１６は第１制御基板ユニット２０１を裏面から見た分解斜視図、図１７は第１制御基板ユニット２０１を構成する主制御装置２７１の分解斜視図、図１８は主制御装置２７１を構成する基板ボックス２７３を説明するための説明図である。また、図１９は図１３におけるＡ―Ａ線断面図、図２０は主制御装置２７１に貼り付けられる封印シール３３０の断面図、図２１は封印シール３３０の正面図及び背面図である。
【０１７７】
第１制御基板ユニット２０１は略Ｌ字状をなす取付台２５１を有し、取付台２５１に主制御装置２７１と音声ランプ制御装置２７２とが搭載されている。
【０１７８】
主制御装置２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板２７０を具備しており、主基板が透明樹脂材料等よりなる被包手段としての基板ボックス２７３に収容されて構成されている。なお、本実施の形態では、ＣＰＵ、ＲＯＭ及びＲＡＭがＣＰＵチップ５０１に１チップ化されている。但し、ＣＰＵ、ＲＯＭ及びＲＡＭが１チップ化されておらず、それぞれの機能毎にチップ化されている構成であってもよい。また、詳細な説明は省略するが、主基板２７０には、入出力ドライブ用ＩＣチップ５０７及びラッチ用ＩＣチップ５０８が搭載されている。
【０１７９】
基板ボックス２７３は、略直方体形状のボックスベース２８０と該ボックスベース２８０の開口部を覆うボックスカバー２９０とを備えている。ボックスベース２８０には、底板部２８１の長辺側に側板部２８２が形成されており、短辺側の一側には側板部２８２に連なるようにして段差部２８３が形成されている。側板部２８２の先端は内側に折り曲げ形成されている。底板部２８１の右端部は、ボックスカバー２９０をスライド装着するための装着口２８４となっている。この場合、図１８に示すように、ボックスカバー２９０を装着口２８４から装着し、段差部２８３に当るまでスライドさせることで、ボックスカバー２９０がボックスベース２８０上の所定位置に装着されるようになっている。
【０１８０】
ボックスカバー２９０には、ボックスベース２８０の段差部２８３と重なるようにして延出部２９１が形成されている。延出部２９１はボックスベース２８０の段差部２８３と共に封印手段としての封印ユニット２７４（いわゆる、カシメ構造）を構成しており、当該封印ユニット２７４によってボックスベース２８０とボックスカバー２９０とが連結され、基板ボックス２７３が封印されている。封印ユニット２７４は、ボックスベース２８０とボックスカバー２９０とを連結する構成であれば任意の構成が適用できるが、ここでは図１７等に示すように、５つの封印部材２８５，２９２が形成された構成となっており、この封印部材２８５，２９２の長孔に金属製の係止爪を圧入することでボックスベース２８０とボックスカバー２９０とが連結されるようになっている。この場合、係止爪を封印部材２８５，２９２から抜くことが不可能な構成となっているため、基板ボックス２７３を開封するためには封印部材２８５，２９２を破壊する必要が生じる。よって、基板ボックス２７３が不正に開封されたことの履歴を残すことができ、主基板２７０に対して不正が行われたことを発見することができる。
【０１８１】
ボックスベース２８０の装着口２８４側には封印シール３３０を貼り付けるための貼付板部２８７が形成されている。貼付板部２８７は、ボックスベース２８０の短辺側に沿うようにして略板状に形成されている。また、ボックスベース２８０に形成された貼付板部２８７に対応させてボックスカバー２９０にも同様の貼付板部２９４が形成されており、両貼付板部２８７，２９４は当接している。これら両貼付板部２８７，２９４には、厚み方向に貫通するネジ穴２８７ａ，２９４ａが形成されており、ネジ２９９により両貼付板部２８７，２９４（ボックスベース２８０及びボックスカバー２９０）が固定されている。即ち、ボックスベース２８０とボックスカバー２９０との固定は、上述した封印ユニット２７４及び貼付板部２８７，２９４におけるネジ固定により行われている。
【０１８２】
貼付板部２８７，２９４の外面は平坦面となっており、この外面には両貼付板部２８７，２９４を跨ぐようにして略矩形状の封印シール３３０が貼り付けられている。詳細には、封印シール３３０を略コ字状に折り曲げることで、両貼付板部２８７，２９４を跨ぐ構成となっている（図１９参照）。この場合に、両貼付板部２８７，２９４のネジ穴２８７ａ，２９４ａは封印シール３３０により覆われている。なお、図１９においては、説明の便宜上、封印シール３３０の厚み寸法を実際の厚み寸法よりも大きく示してある。
【０１８３】
ここで、封印シール３３０の構成について図２０及び図２１を用いて説明する。
【０１８４】
封印シール３３０は、略矩形状のベースシート３３１を備えており、ベースシート３３１の背面には粘着剤が塗布され粘着剤層３３２が形成されている。また、粘着剤層３３２の一部に対してアンテナ付きＩＣチップ３３３が貼り付けられている。なお、図２０においては、粘着剤層３３２の背面側に剥離シート３３４が示してある。この剥離シート３３４は封印シール３３０を基板ボックス２７３に貼り付ける際に剥がされるものであり、封印シール３３０の使用前に封印シール３３０が不用意に貼りつかないようになっている。
【０１８５】
ベースシート３３１はポリエステル系フィルムなどの可撓性樹脂フィルムにより形成されており適度な脆性を有し、さらに溶剤や熱に対して反応性を有する。具体的には、粘着剤層３３２を構成する粘着剤に対して溶解性を備えたトルエンなどがベースシート３３１に塗布されると、ベースシート３３１は変色する。また、粘着剤層の粘着力が低下する温度（例えば、５０℃）以上の熱が加えられた場合にもベースシート３３１は変色する。これにより、基板ボックス２７３の貼付板部２８７，２９４から封印シール３３０を不正に剥がそうとして溶剤がかけられたり、熱が加えられたりした場合、ベースシート３３１が変色することで当該不正行為の痕跡を残すことができる。
【０１８６】
粘着剤層３３２の粘着剤は、従来の封印シールと同様に、一旦貼り付けされた後に剥がされるとベースシート３３１から剥がれる程度の粘着力を有している。従って、封印シール３３０が剥がされた場合には再度貼り付けすることが不可能なものであり、さらには粘着剤層の一部が貼付板部２８７，２９４側に残ることとなる。よって、封印シール３３０を不正に剥がした痕跡を残すことができる。
【０１８７】
アンテナ付きＩＣチップ３３３は、ＩＣチップ３３３ａ及びアンテナ部３３３ｂより構成されており、長尺状のアンテナ部３３３ｂの中央付近にＩＣチップ３３３ａが配置されている。ＩＣチップ３３３ａは集積回路として形成されるものであり、制御部及びメモリー領域を有する。メモリー領域には、識別データとしてのＩＤ情報が格納されている。アンテナ部３３３ｂは、アルミ等の金属薄層で形成されており、その厚みはＩＣチップ３３３ａの厚みよりも薄い。また、アンテナ部３３３ｂは、共振周波数が２．４５ＧＨｚ等の一定周波数となるようにアンテナパターンとして作製されている。
【０１８８】
ＩＣチップ３３３ａのＩＤ情報は、制御部によって呼び出されてアンテナ部３３３ｂから発信することができるように構成されており、アンテナ部３３３ｂから発信されたＩＤ情報をリーダー／ライターとして形成されるスキャナーで受信して読み取ることができるようになっている。詳細には、スキャナーからは前記周波数の微弱な電波で呼び出しが行われるようになっており、この電波で誘導電磁界が形成される。そして誘導電磁界内にアンテナ部３３３ｂが位置する程度に、スキャナーをアンテナ部３３３ｂに近接させると、アンテナ部３３３ｂに電磁誘導で起電力が発生する。ＩＣチップ３３３ａではこの起電力を電源として、メモリー領域に格納されているＩＤ情報を制御部で呼び出してアンテナ部３３３ｂから送信することができ、このように発信されたＩＤ情報をスキャナーで受信して読み取ることができる。
【０１８９】
アンテナ付きＩＣチップ３３３（アンテナ部３３３ｂ）は、図２１（ｂ）に示すように、粘着剤層３３２が形成されたベースシート３３１に対し、当該ベースシート３３１の一隅部側からその対角方向の隅部側に亘って斜めに配置されている。詳細には、アンテナ部３３３ｂはベースシート３３１の対角線上にはなく、アンテナ部３３３ｂの長手方向がベースシート３３１の両対角線と交差している。この場合、長尺状のアンテナ部３３３ｂはその長手方向がベースシート３３１のすべての辺方向と交差することとなる。そして、封印シール３３０が両貼付板部２８７，２９４に跨って貼り付けられているのに伴って、アンテナ部３３３ｂも両貼付板部２８７，２９４に跨っている。
【０１９０】
また、封印シール３３０には、アンテナ部３３３ｂの長手方向に沿って等間隔で並ぶ多数のアンテナ用切り込み３３５が形成されている。アンテナ用切り込み３３５は、アンテナ部３３３ｂの長手方向に対して略直交する方向に延びる直線状であり、ベースシート３３１の表面側から粘着剤層３３２の背面側まで貫通している（なお、図２１（ａ）ではアンテナ用切り込み３３５を省略して示してある）。ちなみに、アンテナ用切り込み３３５が延びる方向は、アンテナ部３３３ｂの長手方向に対して略直交する方向であるため、ベースシート３３１のすべての辺方向と交差している。また、アンテナ用切り込み３３５は、アンテナ部３３３ｂに若干掛かる構成となっている。この場合に、アンテナ部３３３ｂはアンテナ用切り込み３３５により分断されていないため、ＩＤ情報の送信に関して弊害は生じない。また、アンテナ用切り込み３３５がアンテナ部３３３ｂを挟んで直線状に並ばないように、アンテナ部３３３ｂの一側に位置するアンテナ用切り込み３３５と他側に位置するアンテナ用切り込み３３５とはずらして形成されている。詳細には、アンテナ部３３３ｂの一側に位置するアンテナ用切り込み３３５と他側に位置するアンテナ用切り込み３３５とは、アンテナ部３３３ｂの長手方向に沿って交互に並ぶように形成されている。
【０１９１】
以上説明した封印シール３３０を貼付板部２８７，２９４から剥がそうとする場合、剥がす力に伴う応力が、ベースシート３３１の隅角に対して局所的に集中したり、封印シール３３０の折り曲げ部分に集中したりしないように、封印シール３３０の一辺に沿う方向に剥がす。そして、この方向はアンテナ部３３３ｂの延びる方向に対して交差する方向である。従って、剥がす力に伴う応力がアンテナ部３３３ｂの周囲に位置するアンテナ用切り込み３３５の端部に集中することで、アンテナ用切り込み３３５を介してベースシート３３１が破壊され、それに伴ってアンテナ部３３３ｂが分断されることとなる。アンテナ部３３３ｂが分断されるとＩＤ情報がアンテナ部３３３ｂから送信されなくなるので、ＩＤ情報をスキャナーで読み取ることができなくなる。よって、封印シール３３０を貼付板部２８７，２９４からきれいに剥がして基板ボックス２７３を開封し、主基板２７０に対して不正を行った後に、基板ボックス２７３を封印して封印シール３３０を再度きれいに貼ったとしても、当該不正行為を容易に発見することができる。
【０１９２】
封印シール３３０の４隅には、ベースシート３３１の表面側から粘着剤層３３２の背面側まで貫通する隅側切り込み３３６がそれぞれ形成されている。詳細には、隅側切り込み３３６は、封印シール３３０の隅角の内側にて当該隅角に沿うようにしてＬ字状に形成されている。よって、封印シール３３０がその一辺に沿う方向に剥がされるのではなく封印シール３３０の隅角側から剥がされたとしても、隅側切り込み３３６から封印シール３３０に破壊が生じ、不正行為の痕跡を残すことができる。
【０１９３】
封印シール３３０の外縁には、図２１に示すように、外側端部から内側に向けて多数の外縁切り込み３３７が形成されている。これら外縁切り込み３３７は、内側から外側に向けて開くようにして鋭角のＶ字状となっており、さらに封印シール３３０の外周に沿う方向に等間隔で形成されている。従って、基板ボックス２７３の貼付板部２８７，２９４から封印シール３３０を剥がそうとすると、この剥がす力に伴う応力が外縁切り込み３３７の内側端部に集中し、また上記のとおりベースシート３３１が適度な脆性を有していることにより、封印シール３３０に破れなどといった破壊が生じる。これにより、封印シール３３０が剥がされたことの痕跡を残すことができ、主基板２７０に対して不正行為が行われたことを容易に発見することができる。
【０１９４】
しかしながら、上記のように外縁切り込み３３７が形成された構成においては、封印シール３３０の一辺全体からその辺に直交する方向に沿って封印シール３３０が剥がされると封印シール３３０の破壊が生じ難い。即ち、封印シール３３０をその角から剥がす場合や、封印シール３３０の外縁における隣り合う外縁切り込み３３７間を摘んで剥がす場合などは、剥がす力に伴う応力が少数の外縁切り込み３３７の内側端部に集中するため、外縁切り込み３３７を介した封印シール３３０の破壊が生じ易い。一方、矩形状の封印シール３３０の一辺全体からその辺に直交する方向に沿って剥がす場合には、剥がす力に伴う応力が多数の外縁切り込み３３７の内側端部に分散されるため、外縁切り込み３３７を介した封印シール３３０の破壊が生じ難い。よって、後者の方式で封印シール３３０が剥がされると、外縁切り込み３３７では不正の痕跡が残らない場合がある。これに対して、上述したように、アンテナ部３３３ｂが封印シール３３０の一隅部側からその対角方向の隅部側に亘って延びるようにして斜めに配置されているので、封印シール３３０の一辺全体からその辺に直交する方向に沿って封印シール３３０が剥がされたとしてもアンテナ部３３３ｂが分断され、不正行為を容易に発見することができる。
【０１９５】
ベースシート３３１の表面には、図２１（ａ）に示すように、インク塗布部３４１、識別情報部３４２及び機種情報部３４３が設けられている。インク塗布部３４１には、紫外線などといった特定の波長の光が照射されることにより模様が表れる特殊インクが塗布されている。識別情報部３４２には、複数の数字が記載されており、当該識別情報部３４２に記載される数字は遊技機毎に異なっている。この場合に、識別情報部３４２に記載される数字はＩＣチップ３３３ａに格納されているＩＤ情報と対応づけて設定されている。例えば、ＩＤ情報が数字で登録されている場合には、ＩＤ情報の数字と識別情報部３４２に記載された数字との和が、遊技ホールなどに設置された複数の遊技機において同一となるように設定されている。機種情報部３４３には、当該遊技機の機種名や当該遊技機の製造メーカー名などが記載されている。
【０１９６】
ここで、封印シール３３０の図２１（ａ）における上部領域Ｒ１は、ボックスカバー２９０の貼付板部２９４の正面側に位置している。よって、主制御装置２７１に対峙する位置からは、インク塗布部３４１及び識別情報部３４２を視認することができるので、インク塗布部３４１及び識別情報部３４２の確認作業を容易に行うことができる。また、封印シール３３０の図２１（ａ）における中間領域Ｒ２は、両貼付板部２８７，２９４の側面側に位置している。よって、機種情報部３４３に記載された内容は主制御装置２７１を取付台２５１から取り外すことなく確認することができる。なお、下部領域Ｒ３は、ボックスベース２８０の貼付板部２８７の背面側に位置している。
【０１９７】
以上のように、インク塗布部３４１及び識別情報部３４２が設けられていることにより、主制御装置２７１が不正に交換された場合に、その交換がなされていることを容易に発見することができる。即ち、交換された不正用の主制御装置が正規のものと外観上区別できなかったとしても、インク塗布部３４１に特有の光を照射し模様が表れないことを確認することで交換されたことを発見することができる。また、不正用の主制御装置の封印シールにアンテナ付きＩＣチップが設けられていたとしても、ＩＤ情報をスキャナーで読み取り、その情報と識別情報部３４２の情報とを確認することで交換されたことを発見することができる。
【０１９８】
音声ランプ制御装置２７２は、例えば主制御装置２７１又は表示制御装置２１４からの指示に従い音声やランプ表示の制御を司るＣＰＵや、その他ＲＯＭ、ＲＡＭ、各種ポート等を含む音声ランプ制御基板を具備しており、音声ランプ制御基板が透明樹脂材料等よりなる基板ボックス２７５に収容されて構成されている。音声ランプ制御装置２７２上には電源中継基板２７６が搭載されており、電源装置３１３の電源が電源中継基板２７６を介して表示制御装置２１４及び音声ランプ制御装置２７２に供給されるようになっている。
【０１９９】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は縦横に直交する向きに延び、前後方向に段差をもって形成されている。基板搭載面２５２の上縁部及び下縁部にはそれぞれ、基板搭載面２５２より起立した起立部２５４が一体成形されている。そして、横長の基板搭載面２５２上に主制御装置２７１が配置されると共に、縦長の基板搭載面２５３上に音声ランプ制御装置２７２が配置される。このとき、主制御装置２７１は、上下の側部が起立部２５４にて支えられる。また、音声ランプ制御装置１７２は、複数箇所でネジ等により基板搭載面２５３に固定される。
【０２００】
ここで、図１５及び図１６に示すように、基板搭載面２５２には、左右２カ所に横長形状の貫通孔２５６が形成されている。一方、主制御装置２７１の基板ボックス２７３には、その裏面の左右２カ所に回動操作式の固定具２７７が設けられている。主制御装置２７１を基板搭載面２５２に搭載する際には、基板搭載面２５２の貫通孔２５６に固定具２７７が挿通されるように主制御装置２７１を載置し、その状態で固定具２７７を回動操作することで主制御装置２７１がロックされる。従って、主制御装置２７１は第１制御基板ユニット２０１の裏面側から固定具２７７をロック解除しなければ取り外しできないため、基板取り外し等の不正行為に対して抑止効果が得られる。
【０２０１】
また、取付台２５１において、主基板用の基板搭載面２５２の下方には、基板搭載面２５２の裏面空間に通じる開口を遮蔽するための遮蔽部２５７が設けられている。従って、基板搭載面２５２の下方より取付台２５１の裏面に手などを差し入れることが阻止され、固定具２７７のロック状態を不正に解除することができないようになっている。また、第１制御基板ユニット２０１をパチンコ機１０裏面に搭載した状態では、当該ユニット２０１の上部が裏パックユニット２０３により覆われるため、やはり取付台２５１の裏面に手などを差し入れることが阻止され、固定具２７７のロック状態を不正に解除することができないようになっている。
【０２０２】
前述した通り、第１制御基板ユニット２０１は、裏パックユニット２０３を所定角度以上に大きく開いた状態又は同ユニット２０３を取り外した状態でなければ取り外すことが不可能であり、また、施錠装置を正しくキー操作して外枠１１に対して本体枠１２を開放しなければ、裏パックユニット２０３を開くことができない構成となっている。つまり、本体枠１２を開くことができなければ、結果的に第１制御基板ユニット２０１を回動させたり取り外すことができず、ひいては主制御装置２７１の取り外しも不可能となる。それ故、主制御装置２７１の不正な載せ替えや盗難等を効果的に防止することができる。
【０２０３】
主制御装置２７１は、パチンコ機１０裏面から見て手前側に配置され、音声ランプ制御装置２７２はその奥側に配置される。この場合、基板搭載面２５２，２５３が前後方向に段差をもって形成されているため、これら基板搭載面２５２，２５３に主制御装置２７１及び音声ランプ制御装置２７２を搭載した状態において各制御装置２７１，２７２はその一部を前後に重ねて配置される。つまり、図１４等にも見られるように、主制御装置２７１はその一部（本実施の形態では１／３程度）が浮いた状態で配置される。故に、主制御装置２７１に重なる領域まで音声ランプ制御装置２７２を拡張することが可能となり、また別の見方をすれば音声ランプ制御装置２７２に重なる領域まで主制御装置２７１を拡張することが可能となり、パチンコ機１０という限られた大きさの中にあっても、各制御基板２７１，２７２の大型化に良好に対処できるとともに、各制御装置２７１，２７２を効率良く設置できる。また、第１制御基板ユニット２０１を遊技盤３０に装着した状態では、基板搭載面２５２の後方にスペースが確保され、可変入賞装置３２やその電気配線等が無理なく設置できるようになっている。なお、基板搭載面２５２の裏面には格子状のリブ２５８が設けられており、主制御装置２７１の支持強度が高められている。
【０２０４】
取付台２５１の左端面には上下一対の掛止ピン２６１が設けられており、この掛止ピン２６１を前記軸受け金具２３１に取り付けることで、第１制御基板ユニット２０１が遊技盤３０に対して回動可能に片持ち支持される。取付台２５１の右端部には前記被締結孔２３２にはめ込まれる締結具として上下一対のナイラッチ２６２が設けられている。取付台２５１の上端部には前記係止爪片２３３が係止される長孔２６３が設けられている。従って、ナイラッチ２６２を被締結孔２３２にはめ込むと共に、長孔２６３に係止爪片２３３を係止させることで、第１制御基板ユニット２０１が遊技盤３０に固定される。なお、軸受け金具２３１及び掛止ピン２６１が前記支軸部Ｍ１に、被締結孔２３２及びナイラッチ２６２が前記締結部Ｍ２に、係止爪片２３３及び長孔２６３が前記係止爪部Ｍ３に、それぞれ相当する。
【０２０５】
次に、第２制御基板ユニット２０２の構成を図２０〜図２２に基づいて説明する。図２０は第２制御基板ユニット２０２の正面図、図２１は同ユニット２０２の斜視図、図２２は同ユニット２０２の分解斜視図である。
【０２０６】
第２制御基板ユニット２０２は横長形状をなす取付台３０１を有し、取付台３０１に払出制御装置３１１、発射制御装置３１２、電源装置３１３及びカードユニット接続基板３１４が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１８の操作に従い発射モータ２２９の制御が行われる。また、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、主として遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４は不要である。
【０２０７】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、主制御装置２７１と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０２０８】
取付台３０１は例えば無色透明な樹脂成型品よりなり、その表面に平坦状をなす基板搭載面３０２が設けられている。基板搭載面３０２には、発射制御装置３１２、電源装置３１３及びカードユニット接続基板３１４が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。払出制御装置３１１と電源装置３１３との間には台座プレート３０３が介在するため、例えばノイズ除去用の金属プレート等を設置するには台座プレート３０３に金属プレート等を取り付ければ良く、ノイズ対策が簡単に実現できる。
【０２０９】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０２１０】
次に、裏パックユニット２０３の構成を図２３及び図２４に基づいて説明する。図２３は裏パックユニット２０３の正面図、図２４は裏パックユニット２０３の分解斜視図である。
【０２１１】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。
【０２１２】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記上皿２３等に供給される。なお、図示は省略するが、ケースレール３５７の上流部には、タンク３５５やタンクレール３５６から供給される遊技球の有無を検出するタンク球無しセンサが設けられている。また、払出装置３５８には、払出モータ３５８ａの回転を検出する払出回転センサと、払い出される遊技球数をカウントする払出カウントスイッチとが設けられている。
【０２１３】
タンクレール３５６には、当該タンクレール３５６に振動を付加するためのバイブレータ３６０が取り付けられている。バイブレータ３６０は、バイブモータとそのバイブモータを収容する合成樹脂製のケースとによりユニット化されており、２本の脚部３６０ａでタンクレール３５６に取り付けられている。従って、仮にタンクレール３５６付近で球詰まりが生じた際、バイブレータ３６０が駆動されることで球詰まりが解消されるようになっている。
【０２１４】
また、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦとされるようになっている。
【０２１５】
タンク３５５から払出通路３５９に至るまでの払出機構部３５２は何れも導電性を有する合成樹脂材料、例えば導電性ポリカーボネート樹脂にて成形され、その一部にてアースされている。これにより、遊技球の帯電によるノイズの発生が抑制されるようになっている。
【０２１６】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び前扉枠１３の開放時に信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【０２１７】
裏パック３５１には、枠用外部端子板３９０に隣接して略四角形状の窓部３９１が設けられている。従って、裏パックユニット２０３を本体枠１２に取り付けた状態では、窓部３９１を通じて遊技盤３０裏面の盤用外部端子板２３０が露出し、裏パックユニット２０３を装着したままで盤用外部端子板２３０の操作を行うことができるようになっている。前述のとおり、盤用外部端子板２３０は取り外し容易な状態で集合板ユニット２１５に取り付けられていることから、盤用外部端子板２３０の配線を接続したままで、窓部３９１を介して当該盤用外部端子板２３０を取り出すことも可能となる。裏パック３５１の右上部には本体枠１２の開放の状態を検出するための本体枠開放スイッチ３９２が設けられており、外枠１１に対して本体枠１２を閉じた状態では当該スイッチ３９２の金属接点が閉じて本体枠１２の閉鎖が検知され、外枠１１に対して本体枠１２を開いた状態では金属接点が開いて本体枠１２の開放が検知されるようになっている。
【０２１８】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０２１９】
次に、本パチンコ機１０の電気的構成について、図２５のブロック図に基づいて説明する。
【０２２０】
主制御装置２７１（主基板２７０）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、時間計数や同期を図る場合などに使用されるクロックパルス発生回路やタイマ回路、割込回路、データ送受信回路などの各種回路が内蔵されている。
【０２２１】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０２２２】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理によって電源遮断時に実行され、バックアップエリア５０３ａに書き込まれた各値の復帰は電源投入時のメイン処理において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０２２３】
主制御装置２７１のＣＰＵ５０１には、アドレスバス及びデータバスで構成されるバスライン５０４を介して入出力ポート５０５が接続されている。主制御装置２７１の入力側には、後述するＲＡＭ消去スイッチ回路５４３、払出制御装置３１１や、その他図示しないスイッチ群や中継基板などが接続されている。一方、主制御装置２７１の出力側には、払出制御装置３１１や表示制御装置２１４が接続されている。また、第１特定ランプ部４７に配設されたＬＥＤランプのスイッチや第２特定ランプ部４８に配設されたＬＥＤランプのスイッチも接続されている。これにより、第１特定ランプ部４７及び第２特定ランプ部４８は、主制御装置２７１により直接的に制御されることとなる。
【０２２４】
払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０２２５】
払出制御装置３１１のＲＡＭ５１３は、主制御装置２７１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０２２６】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７１のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０２２７】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７１、発射制御装置３１２、払出モータ３５８ａなどがそれぞれ接続されている。
【０２２８】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８に触れていることをセンサ信号により検出していること、発射を停止させるための発射停止スイッチが操作されていないことを条件に、発射モータ２２９が駆動され、遊技球発射ハンドル１８の操作量に応じた強さで遊技球が発射される。
【０２２９】
表示制御装置２１４は、図柄表示装置４１における第１図柄（特別図柄）の変動表示を制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置２７１の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には音声ランプ制御装置２７２が接続されている。また、画像コントローラ５２６にはバスライン５３１を介して出力ポート５２９が接続されており、その出力ポート５２９の出力側には図柄表示装置４１が接続されている。
【０２３０】
表示制御装置２１４のＣＰＵ５２１は、主制御装置２７１から送信される図柄表示コマンドに基づいて図柄表示装置４１の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０２３１】
ビデオＲＡＭ５２４は、図柄表示装置４１に表示される表示データを記憶するためのメモリであり、ビデオＲＡＭ５２４の内容を書き替えることにより、図柄表示装置４１の表示内容が変更される。キャラクタＲＯＭ５２５は、図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して図柄表示装置４１に表示させるものである。
【０２３２】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７１や払出制御装置３１１等に対して供給する。なお、発射制御装置３１２に対しては払出制御装置３１１を介して動作電源（＋１２Ｖ電源、＋５Ｖ電源等）が供給される。
【０２３３】
停電監視回路５４２は、停電等の発生による電源遮断時に、主制御装置２７１のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７１及び払出制御装置３１１へ出力する。停電信号ＳＧ１の出力によって、主制御装置２７１及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７１及び払出制御装置３１１は、ＮＭＩ割込み処理を正常に実行し完了することができる。
【０２３４】
ＲＡＭ消去スイッチ回路５４３は、ＲＡＭ消去スイッチ３２３のスイッチ信号を取り込み、そのスイッチ３２３の状態に応じて主制御装置２７１及び払出制御装置３１１のバックアップデータをクリアするためのＲＡＭ消去信号ＳＧ２を出力する回路である。ＲＡＭ消去スイッチ３２３が押された際、ＲＡＭ消去スイッチ回路５４３は、主制御装置２７１及び払出制御装置３１１に対してＲＡＭ消去信号ＳＧ２を出力する。これにより、ＲＡＭ消去スイッチ３２３が押された状態でパチンコ機１０の電源が投入されると、主制御装置２７１及び払出制御装置３１１においてそれぞれのバックアップエリア５０３ａ，５１３ａのデータがクリアされる。
【０２３５】
以上詳述した本実施の形態によれば、以下の優れた効果を奏する。
【０２３６】
主基板２７０を収容するボックスベース２８０とボックスカバー２９０とを跨ぐようにしてアンテナ付きＩＣチップ３３３を有する封印シール３３０が貼り付けられている。基板ボックス２７３を開封するためには、貼付板部２８７，２９４から封印シール３３０を剥がし当該貼付板部２８７，２９４のネジ固定を解除する必要がある。この場合に、封印シール３３０をその隅角から剥がしていくと、剥がす力に伴う応力がベースシート３３１の隅角部分に集中する。そして、ベースシート３３１が適度な脆性（封印シール３３０を剥がす力に伴う応力によって一部が破壊される脆性）を有しているので、ベースシート３３１が大きく破壊されることとなる。また、封印シール３３０の外縁には、内側から外側端部に向けて鋭角のＶ字状に開いた外縁切り込み３３７が形成されているので、封印シール３３０をその隅角から剥がしていくと、剥がす力に伴う応力が外縁切り込み３３７の内側端部（内側に尖った部位）に集中し、ベースシート３３１の破壊の程度はより大きなものとなる。さらに、封印シール３３０が貼付板部２８７，２９４に対して略コ字状に折り曲げて貼り付けられているので、封印シール３３０をその隅角から剥がしていくと、剥がす力に伴う応力が折り曲げ部分に集中し、同様にベースシート３３１が大きく破壊されることとなる。この場合、封印シール３３０が不正に剥がされたこと、即ち、主基板２７０に対して不正が行われたことの痕跡が明確に残ることとなる。よって、主基板２７０に対して不正を行おうとする者は、封印シール３３０の一辺全体からその辺に直交する方向に沿って剥がすことで、剥がす力に伴う応力をベースシート３３１の一辺全体に分散させ、ベース部材が極力破壊されないようにする。これに対して、アンテナ部３３３ｂをその長手方向が封印シール３３０のすべての辺方向と交差するように配置する構成とすることにより、封印シール３３０をその一辺全体から剥がそうとすると、アンテナ部３３３ｂの長辺方向と交差する方向に破壊が生じる。そして、アンテナ部３３３ｂが長尺状であり、アンテナ部３３３ｂの長手方向と交差する方向の寸法は短くなっていることにより、破壊が生じた位置にてアンテナ部３３３ｂが分断されることとなる。この場合、遊技ホールの管理者等がスキャナーによりＩＣチップ３３３ａに格納されたＩＤ情報を確認できなくなるため、主基板２７０に対して不正が行われたことを容易に且つ確実に発見することができる。
【０２３７】
また、上記のとおり、アンテナ部３３３ｂをベースシート３３１の一隅部側からその対角方向の隅部側に亘って延びるように配置する構成とすることにより、アンテナ部３３３ｂをベースシート３３１の一辺に沿って設ける構成に比べ、アンテナ部３３３ｂの長さ寸法が大きく確保されている。よって、封印シール３３０が剥がされた場合におけるアンテナ部３３３ｂの分断が生じる機会を多く設けることができる。
【０２３８】
また、ＩＣチップ３３３ａをアンテナ部３３３ｂの長手方向の略中央に配置する構成とすることにより、上記のとおりアンテナ部３３３ｂが封印シール３３０の一隅部側からその対角方向の隅部側に亘って配置された構成においてはＩＣチップ３３３ａの位置は封印シール３３０の中央付近となる。よって、ＩＣチップ３３３ａの厚みに起因して封印シール３３０が剥がし易くなることを抑制することができる。即ち、ＩＣチップ３３３ａは所定の厚みを有するため、封印シール３３０におけるＩＣチップ３３３ａの周囲と貼付板部２８７，２９４との間には隙間が生じることとなる。この場合に、ＩＣチップ３３３ａが封印シール３３０の外縁側にあるとその外縁と貼付板部２８７，２９４との隙間に指を掛けることで封印シール３３０が剥がし易くなる。これに対して、ＩＣチップ３３３ａの位置が封印シール３３０の中央付近であることにより、ＩＣチップ３３３ａの厚みに起因して封印シール３３０の外縁と貼付板部２８７，２９４との間に隙間が生じることはない。
【０２３９】
また、ベースシート３３１におけるアンテナ部３３３ｂの周囲にアンテナ用切り込み３３５を形成する構成とすることにより、封印シール３３０が剥がされた場合にアンテナ用切り込み３３５の端部からベースシート３３１が破壊されるのに伴ってアンテナ部３３３ｂも破壊され、その位置にてアンテナ部３３３ｂが分断されることとなる。よって、アンテナ部３３３ｂが分断され易くなり、主基板２７０に対して不正が行われた場合の発見をより確実に行うことができる。特に、アンテナ用切り込み３３５をアンテナ部３３３ｂの長手方向及びベースシート３３１のすべての辺方向に対して交差する方向に延びる線状の切り込みとすることにより、封印シール３３０がその一辺に沿う方向に剥がされた場合の剥がす力に伴う応力がアンテナ用切り込み３３５のアンテナ部側端部に集中し易くなる。これにより、封印シール３３０がその一辺に沿う方向に剥がされた場合のアンテナ部３３３ｂの分断をより確実に発生させることができる。なお、アンテナ用切り込み３３５はアンテナ部３３３ｂに達する位置まで形成されているので、封印シール３３０が不正に剥がされた場合にアンテナ部３３３ｂが分断され易い構成となっている。また、アンテナ用切り込み３３５がアンテナ部３３３ｂを挟んで直線上に並ばないように形成されていることにより、例えば、遊技機の製造時における封印シール３３０の貼り付け作業時などといった不正と関係のない場合にアンテナ部３３３ｂを挟んで位置するアンテナ用切り込み３３５が繋がりそれに伴ってアンテナ部３３３ｂが分断されてしまうことを抑制することができる。
【０２４０】
また、封印シール３３０の４隅に、ベースシート３３１の表面側から粘着剤層３３２の背面側まで貫通するＬ字状の隅側切り込み３３６をそれぞれ形成する構成とすることにより、封印シール３３０がその隅角側から剥がされた場合には、剥がす力に伴う応力が隅側切り込み３３６の端部に集中し、隅側切り込み３３６から封印シール３３０に破れなどといった破壊が生じる。よって、主基板２７０に対して不正が行われたことの痕跡が封印シール３３０に残り、当該不正が行われたことを容易に発見することができる。また、当該隅側切り込み３３６を介した封印シール３３０の破壊を回避すべく、封印シール３３０の一辺に沿う方向に当該封印シール３３０が剥がされたとしても、上記のとおりアンテナ部３３３ｂの分断が生じるので不正を容易に発見することができる。
【０２４１】
なお、粘着剤層３３２を構成する粘着剤に対して溶解性を示す溶媒が封印シール３３０に塗布された場合、ベースシート３３１が変色する構成とすることにより、溶媒により粘着剤層３３２の接着力を弱めアンテナ部３３３ｂを分断させることなく封印シール３３０を剥がし主基板２７０に対して不正行為が行われたとしても、当該不正行為が行われたことを容易に発見することができる。また、封印シール３３０に対して所定温度以上の熱が加えられた場合も同様に、ベースシート３３１が変色する構成とすることにより、所定温度以上の熱を加えることにより粘着剤層３３２の接着力を弱めアンテナ部３３３ｂを分断させることなく封印シール３３０を剥がし主基板２７０に対して不正行為が行われたとしても、当該不正行為が行われたことを容易に発見することができる。
【０２４２】
（第２の実施の形態）
本実施の形態では、封印シールに関する構成が上記第１の実施の形態と異なっている。そこで、以下にかかる構成について詳細に説明する。なお、以下の説明では、上記第１の実施の形態との相違点を説明し、同一の構成については基本的に説明を省略する。図２８は主制御装置４０１の斜視図、図２９は主制御装置４０１の分解斜視図、図３０は主制御装置４０１に貼り付けられた封印シール４２１周辺を拡大して示す斜視図、図３１は封印シール４２１の背面図、図３２（ａ）は封印シール４２１周辺を拡大して示す正面図、図３２（ｂ）は封印シール４２１周辺を拡大して示す側面図、図３２（ｃ）は封印シール４２１周辺を拡大して示す背面図、図３３は図３２（ａ）のＡ―Ａ線断面図である。
【０２４３】
本実施の形態では、上記第１の実施の形態と同様に主制御装置４０１を備えている。主制御装置４０１は、上記第１の実施の形態における主制御装置２７１と同様に、主基板４０２、ボックスカバー４０３、及びボックスベース４０４を備えている（なお、ボックスカバー４０３又はボックスベース４０４のいずれか一方を第１カバー、他方を第２カバーと称してもよい）。ボックスカバー４０３及びボックスベース４０４は、ポリカーボネート樹脂などといった透明性を有する合成樹脂により形成されている。なお、ボックスカバー４０３及びボックスベース４０４が透明性を有するか否かは任意である。
【０２４４】
ボックスカバー４０３及びボックスベース４０４には、上記第１の実施の形態と同様に５つの封印部材４０３ａ，４０４ａが形成されており、これら封印部材４０３ａ，４０４ａにより封印ユニットＳＹ（いわゆる、カシメ構造）が形成されている。当該封印ユニットＳＹの詳細な構成については上記第１の実施の形態にて説明したとおりである。
【０２４５】
ボックスカバー４０３及びボックスベース４０４には、封印ユニットＳＹが設けられた側部とは反対側の側部に貼付板部４０５，４０６が設けられており、これら貼付板部４０５，４０６が締結具（連結具）としての金属製のネジ４０７，４０８によって締結されている（連結されている）。このように金属製のネジ４０７，４０８によって締結することで、主基板４０２を不正に取り外すべく両貼付板部４０５，４０６を締結する締結具を分断しようとする行為が抑制される。この場合に、かかるネジ４０７，４０８による締結の構成は上記第１の実施の形態と異なっている。
【０２４６】
かかる締結に関する構成について詳細には、各貼付板部４０５，４０６には、それぞれの長辺方向の両端側に各貼付板部４０５，４０６を貫通するようにしてネジ孔４１１ａ，４１１ｂ，４１２ａ，４１２ｂが形成されている。ネジ孔４１１ａとネジ孔４１２ａとはその軸線が同一軸線上に位置するようにして形成されており、これらが連通されて第１ネジ孔４１１が形成されている。一方、ネジ孔４１１ｂとネジ孔４１２ｂとはその軸線が同一軸線上に位置するようにして形成されており、これらが連通されて第２ネジ孔４１２が形成されている。なお、第１ネジ孔４１１及び第２ネジ孔４１２は、各貼付板部４０５，４０６において上下に並んでいる。
【０２４７】
第１ネジ孔４１１には、貼付板部４０５におけるパチンコ機１０後方を向く面４０５ａ（以下、第１貼付面４０５ａともいう）側を段差状に拡径させて頭収容部４１５が形成されている。これに対して、第２ネジ孔４１２には、貼付板部４０６におけるパチンコ機１０前方を向く面４０６ａ（以下、第２貼付面４０６ａともいう）側を段差状に拡径させて頭収容部４１６が形成されている。そして、これら頭収容部４１５，４１６に各ネジ４０７，４０８の頭部４０７ａ，４０８ａが収容されるようにネジ４０７，４０８が螺着されている。つまり、一方のネジ４０７（以下、第１ネジ４０７ともいう）は第１貼付面４０５ａ側から螺着されているのに対して、他方のネジ４０８（以下、第２ネジ４０８ともいう）は第２貼付面４０６ａ側から螺着されている。
【０２４８】
各ネジ４０７，４０８の螺着に際しては、各頭部４０７ａ，４０８ａが各頭収容部４１５，４１６の段差部４１５ａ，４１６ａに当接するまで螺着される。この場合に、各頭部４０７ａ，４０８ａが段差部４１５ａ，４１６ａに当接した状態（すなわち、締結が完了した状態）では、各ネジ４０７，４０８の頭部４０７ａ，４０８ａは開口４１３，４１４（以下、取り外し側開口４１３，４１４ともいう）に対してＸ１の距離だけ内側に位置している。つまり、各頭部４０７ａ，４０８ａの頂上（先端）の位置は各ネジ孔４１１，４１２における軸線方向の途中位置となっている。
【０２４９】
各ネジ４０７，４０８によって締結された貼付板部４０５，４０６には、図３０等に示すように、封印シール４２１が貼り付けられている。この場合に、図３０や図３３等に示すように、各貼付板部４０５，４０６には、その上縁に一連の上側突条４０９ａ，４１０ａが一体形成されており、その下縁にも一連の下側突条４０９ｂ，４１０ｂが一体形成されている。そして、各貼付板部４０５，４０６が締結されていることにより、各上側突条４０９ａ，４１０ａの先端が相互に当接するとともに、各下側突条４０９ｂ，４１０ｂの先端が相互に当接している。また、各貼付板部４０５，４０６はそれぞれボックスカバー４０３の側方端部４３１及びボックスベース４０４の側方端部４３２に対して連続させて形成されており、これら側方端部４３１，４３２はそれぞれ各貼付板部４０５，４０６の基端側の区画壁を構成する。つまり、上側突条４０９ａ，４１０ａ、下側突条４１０ａ，４１０ｂ、及び側方端部４３１，４３２は囲み部Ｃとして機能し、貼付板部４０５，４０６における貼付面４０５ａ，４０５ｂ，４０６ａ，４０６ｂは当該囲み部Ｃによって囲まれている。そして、囲み部Ｃによって囲まれた貼付面４０５ａ，４０５ｂ，４０６ａ，４０６ｂに封印シール４２１が略コ字状に曲げられて貼り付けられている。この場合に、封印シール４２１の周縁は囲み部Ｃに近接している。このように囲み部Ｃが設けられていることにより、封印シール４２１を剥がそうとしても、その剥がし行為が非常に困難なものとなっている。
【０２５０】
封印シール４２１が貼り付けられていることにより当該貼付面４０５ａ，４０６ａのほぼ全域が覆われている。したがって、各ネジ孔４１１，４１２における取り外し側開口４１３，４１４は封印シール４２１によって覆われている。
【０２５１】
封印シール４２１は、上記第１の実施の形態と同様に、矩形状のベースシート４２２と、ベースシート４２２の背面に形成される粘着剤層４２３と、アンテナ付きＩＣチップ４２４とを備えている。これらベースシート４２２、粘着剤層４２３、及びアンテナ付きＩＣチップ４２４の基本的な構成は上記第１の実施の形態と同様である。つまり、ベースシート４２２は適度な脆性を有しており、封印シール４２１にはアンテナ用切り込み３３５、隅側切り込み３３６、及び外縁切り込み３３７が形成されている。さらには、ベースシート４２２にはインク塗布部３４１、識別情報部３４２、及び機種情報部３４３が設けられている。なお、図２８，図３０，図３１，図３２においては、これら各種切り込み３３５，３３６，３３７、インク塗布部３４１、及び各種情報部３４１，３４２を省略して示してある。
【０２５２】
アンテナ付きＩＣチップ４２４は、長尺状のアンテナ部４２５を備えており、図３１に示すように、ベースシート４２２の一隅部側からその対角方向の隅部側に亘って斜めに配置されている。また、アンテナ付きＩＣチップ４２４は、矩形状のベースシート４２２の中心に対して点対称となるように配置されている。封印シール４２１の図３１における上部領域Ｒ１は貼付板部４０５の第１貼付面４０５ａに位置し、図３１における中間領域Ｒ２は両貼付板部４０５，４０６の側面側に位置し、図３１における下部領域Ｒ３は貼付板部４０６の第２貼付面４０６ａに位置している。そして、アンテナ付きＩＣチップ４２４が上記のように配置されていることにより、アンテナ部４２５はその両端部４２６ａ，４２６ｂがそれぞれ第１貼付面４０５ａ及び第２貼付面４０６ａに位置している。
【０２５３】
ここで、本実施の形態では、アンテナ部４２５と各ネジ４０７，４０８との位置関係が特徴的なものとなっている。そこで、以下にかかる位置関係について詳細に説明する。
【０２５４】
アンテナ部４２５の両端部４２６ａ，４２６ｂは、図３２等に示すように、第１貼付面４０５ａ及び第２貼付面４０６ａにおいて、各ネジ孔４１１，４１２における取り外し側開口４１３，４１４を跨ぐようにして配置されている。詳細には、アンテナ部４２５の短手方向の寸法は当該開口４１３，４１４の孔径よりも小さくなっており、さらにアンテナ部４２５はその両端部４２６ａ，４２６ｂが取り外し側開口４１３，４１４を挟んで当該開口４１３，４１４の周縁部を架渡すように配置されている。このようにアンテナ部４２５が配置されていることにより、アンテナ部４２５の両端部４２６ａ，４２６ｂは対応するネジ４０７，４０８の頭部４０７ａ，４０８ａと対峙している。
【０２５５】
かかる構成において、上記のとおり、各ネジ４０７，４０８の頭部４０７ａ，４０８ａの頂上の位置は各ネジ孔４１１，４１２における軸線方向の途中位置となっている。すなわち、各ネジ４０７，４０８の頭部４０７ａ，４０８ａの頂上の位置は封印シール４２１に対して各ネジ孔４１１，４１２内に入り込んだ位置となっている。したがって、アンテナ部４２５と各ネジ４０７，４０８とは、図３３に示すように離間されている。また、アンテナ部４２５と各ネジ４０７，４０８との間には両者を介在する介在部材が設けられていない。つまり、アンテナ部４２５と各ネジ４０７，４０８との間には空間Ｓが設けられている。これにより、アンテナ部４２５が各ネジ４０７，４０８に接触することが防止されている。特に、上記のとおりアンテナ部４２５が取り外し側開口４１３，４１４を挟んで当該開口４１３，４１４の周縁部を架渡すように配置されているため、アンテナ部４２５がネジ孔４１１，４１２内に向けて撓みにくくなり、アンテナ部４２５と各ネジ４０７，４０８の頭部４０７ａ，４０８ａとを対峙させた構成において両者を確実に離間させることができる。例えば、アンテナ部４２５が各ネジ４０７，４０８に接触すると設定された共振周波数（本実施の形態では、２．４５ＧＨｚ）が変化してしまい、ＩＣチップ４２７に格納されたＩＤ情報がスキャナーによって読み取れなくなるおそれがあるが、本実施の形態における構成によればかかる不都合の発生を防止することができる。
【０２５６】
上記のとおり各貼付板部４０５，４０６には囲み部Ｃが形成されており、封印シール４２１の周縁は囲み部Ｃに近接している。したがって、封印シール４２４の貼り付け作業に際しては、封印シール４２１が囲み部Ｃによって囲まれた領域内からはみ出ないように貼り付けることで、アンテナ部４２５の両端部４２６ａ，４２６ｂが取り外し側開口４１３，４１４を跨ぎ、各ネジ４０７，４０８の頭部４０７ａ，４０８ａと対峙する。また、図３１に示すように、囲み部Ｃによって囲まれる領域は、封印シール４２１の面積よりも広くなっている。これにより、封印シール４２１の貼り付け作業に際しては、貼り付け位置に所定のゆとりが生まれ、貼り付け作業の作業性が向上されている。この場合に、その貼り付け位置のゆとりは、アンテナ部４２５の両端部４２６ａ，４２６ｂが取り外し側開口４１３，４１４を跨ぎ、且つ各ネジ４０７，４０８の頭部４０７ａ，４０８ａと対峙する範囲内で形成されている。さらに、上記のとおりアンテナ付きＩＣチップ４２４は矩形状のベースシート４２２の中心に対して点対称となるように配置されているため、封印シール４２１を上下逆に貼り付けたとしても、アンテナ部４２５の両端部４２６ａ，４２６ｂが取り外し側開口４１３，４１４を跨ぎ、且つ各ネジ４０７，４０８の頭部４０７ａ，４０８ａと対峙する。
【０２５７】
以上詳述した本実施の形態によれば、以下の優れた効果を奏する。
【０２５８】
各ネジ４０７，４０８における頭部４０７ａ，４０８ａの頂上の位置が各ネジ孔４１１，４１２の軸線方向の途中位置、すなわち、各頭部４０７ａ，４０８ａの頂上の位置が封印シール４２１に対して各ネジ孔４１１，４１２内に入り込んだ位置（各ネジ孔４１１，４１２におけるネジ取り付け方向側に入り込んだ位置）となるように構成した。これにより、アンテナ部４２５と各ネジ４０７，４０８とを離間させることができ、不正が行われていない場合におけるスキャナーへのＩＤ情報の送信を確実に行うことができる。金属製のネジ４０７，４０８とアンテナ部４２５とが接触しているとアンテナ部４２５に対して設定された共振周波数が変化してしまい、スキャナーへのＩＤ情報の送信が阻害されてしまうからである。そして、この場合、不正が行われていないにも関わらず識別情報を読取ることができなくなり、結果的に封印シール４２１にアンテナ付きＩＣチップ４２４を設けた効果を得ることができなくなってしまう。これに対して、上記のとおりアンテナ部４２５と各ネジ４０７，４０８とを離間させることで、封印シール４２１にアンテナ付きＩＣチップ４２４を設けた効果を確実に得ることができる。
【０２５９】
アンテナ部４２５を、各ネジ孔４１１，４１２における取り外し側開口４１３，４１４を跨ぐようにして配置した。これにより、アンテナ部４２５が各ネジ孔４１１，４１２内に向けて撓みにくくなり、アンテナ部４２５と各ネジ４０７，４０８の頭部４０７ａ，４０８ａとを対峙させた構成において両者を確実に離間させることができる。
【０２６０】
また、上記のとおり各ネジ４０７，４０８における頭部４０７ａ，４０８ａの頂上の位置が各ネジ孔４１１，４１２の軸線方向の途中位置となるよう構成するとともに、アンテナ部４２５の両端部４２６ａ，４２６ｂが各ネジ孔４１１，４１２における取り外し側開口４１３，４１４を跨ぐようにしてアンテナ部４２５を配置した。これにより、アンテナ部４２５と各ネジ４０７，４０８とを離間させた構成において、アンテナ部４２５を各ネジ４０７，４０８の頭部４０７ａ，４０８ａと対峙させることができる。したがって、各ネジ４０７，４０８を取り外すべく各頭部４０７ａ，４０８ａを露出させるように封印シール４２１を巧妙に剥がそうとしたとしても、そのためには封印シール４２１におけるアンテナ部４２５が配置された部分を剥がす必要が生じる。そして、かかる場合、アンテナ部４２５が分断されスキャナーによりＩＤ情報が確認できなくなることで、主基板４０２に対して不正が行われたことを確実に発見することができる。
【０２６１】
アンテナ部４２５の短手方向の寸法を各ネジ孔４１１，４１２における取り外し側開口４１３，４１４の孔径よりも小さくするとともに、アンテナ部４２５を取り外し側開口４１３，４１４を挟んで当該開口４１３，４１４の周縁部を架渡すようにして配置した。これにより、封印シール４２１を剥がす場合にはアンテナ部４２５における取り外し側開口４１３，４１４の周縁部に対応する位置に封印シール４２１を剥がす力に伴う応力が集中し易くなる。よって、アンテナ部４２５の分断が生じる機会を多く設けることができ、主基板４０２に対して不正が行われたことを確実に発見することができる。
【０２６２】
また、アンテナ部４２５と各ネジ４０７，４０８の頭部４０７ａ，４０８ａとの間には、両者を介在する介在部材を不具備とした。すなわち、アンテナ部４２５と各ネジ４０７，４０８の頭部４０７ａ，４０８ａとの間には所定の空間Ｓが形成されている。また、各ネジ孔４１１，４１２における取り外し側開口４１３，４１４を覆うようにして封印シール４２１が貼り付けられているとともに、上記のとおり開口４１３，４１４を挟んで当該開口４１３，４１４の周縁部を架渡すようにしてアンテナ部４２５が配置されている。これにより、不正に各ネジ４０７，４０８の締結を解除すべく封印シール４２１を剥がして各ネジ４０７，４０８の頭部４０７ａ，４０８ａを露出させようとする場合において、アンテナ部４２５の分断が生じる機会を多く設けることができる。つまり、封印シール４２１は取り外し側開口４１３，４１４の周縁部を境界として貼付板部４０５，４０６に貼り付けられた部分と貼り付けられていない部分とが存在し、これはアンテナ部４２５においても同様である。この場合に、各ネジ４０７，４０８の頭部４０７ａ，４０８ａを露出させようとして封印シール４２１を剥がすと、アンテナ部４２５（封印シール４２１）における貼付板部４０５，４０６に貼り付けられた部分と貼り付けられていない部分との境界に封印シール４２１を剥がす力に伴う応力が集中し易くなるからである。よって、主基板４０２に対して不正が行われたことを確実に発見することができる。
【０２６３】
第１ネジ４０７をパチンコ機１０後方を向く第１貼付面４０５ａ側から螺着するようにしたのに対して、第２ネジ４０８をパチンコ機１０前方を向く第２貼付面４０６ａ側から螺着するようにした。そして、これら各ネジ４０７，４０８の頭部４０７ａ，４０８ａを覆うようにして封印シール４２１を貼り付けるとともに、アンテナ部４２５をその両端部４２６ａ，４２６ｂがそれぞれ第１貼付面４０５ａ及び第２貼付面４０６ａに位置するようにして配置した。よって、不正に各ネジ４０７，４０８の締結を解除する作業を煩雑なものとすることができ、さらにはかかる不正な解除作業に際してベースシート４２２の破壊、及びアンテナ部４２５の分断が生じる機会を多く設けることができる。第１ネジ４０７の頭部４０７ａ又は第２ネジ４０８の頭部４０８ａのいずれか一方を露出させることができたとしても、他方を露出させる必要があるからである。
【０２６４】
また、例えば、第１ネジ４０７の頭部４０７ａ及び第２ネジ４０８の頭部４０８ａのいずれもが、両貼付板部４０５，４０６の境界に対して同一方向に位置する構成においては、たとえ両貼付板部４０５，４０６の境界を跨ぐようにして封印シール４２１を貼り付け、さらに第１貼付面４０５ａ及び第２貼付面４０６ａに位置するようにしてアンテナ部４２５を配置していたとしても、当該封印シール４２１における両ネジ４０７，４０８の取り外し方向側の部分を剥がすだけで、すなわち、封印シールをすべて剥がすことなく、頭部４０７ａ，４０８ａを露出させることができてしまう。この場合、上記のように封印シール４２１を貼り付け、さらに上記のようにアンテナ部４２５を配置した効果が好適に発揮されなくなってしまう。これに対して、本実施の形態における構成によれば上記のとおりであるので、当該効果が好適に発揮される。
【０２６５】
また、アンテナ部４２５を、第１ネジ４０７及び第２ネジ４０８の両方の頭部４０７ａ，４０８ａと対峙するようにして配置した。これにより、不正に各ネジ４０７，４０８の締結が解除される場合においてアンテナ部４２５の分断が生じる機会を多く設けることができる。よって、主基板４０２に対して不正が行われたことを確実に発見することができる。
【０２６６】
アンテナ部４２５をベースシート４２２の中心に対して点対称となるようにして配置した。これにより、封印シール４２１を１８０°回転させて貼付面４０５ａ，４０５ｂ，４０６ａ，４０６ｂに当該封印シール４２１を貼り付けたとしても、第１ネジ４０７の頭部４０７ａ及び第２ネジ４０８の頭部４０８ａに対してアンテナ部４２５を対峙させることができる。よって、両ネジ４０７，４０８の頭部４０７ａ，４０８ａに対してアンテナ部４２５を対峙させるようにした構成において、封印シール４２１を貼り付ける場合の作業性を向上させることができる。特に、上記のように囲い部Ｃが設けられており、さらに封印シール４２１が矩形状に形成されていることにより、封印シール４２１の貼り付け作業を行う作業者にとっては、貼付面４０５ａ，４０５ｂ，４０６ａ，４０６ｂからはみ出ないように封印シール４２１を貼り付けるだけで両ネジ４０７，４０８の頭部４０７ａ，４０８ａに対してアンテナ部４２５を対峙させることができ、封印シール４２１を貼り付ける場合のさらなる作業性向上を図ることができる。
【０２６７】
貼付面４０５ａ，４０５ｂ，４０６ａ，４０６ｂを囲むようにして囲い部Ｃを設けた。そして、当該囲い部Ｃは封印シール４２１の周縁と近接している。これにより、封印シール４２１を貼り付ける場合には囲い部Ｃにより囲まれた領域内に封印シール４２１を持っていけばよく、封印シール４２１を貼り付ける場合の作業性を向上させることができる。また、主基板４０２に対して不正を行うべく封印シール４２１を剥がそうとしても、封印シール４２１は囲い部Ｃに囲まれているためにその剥がし行為が非常に困難なものとなる。したがって、当該剥がし行為に際してベースシート４２２が破壊され易くなり、さらにはアンテナ部４２５が分断され易くなる。よって、主基板４０２に対して不正が行われたことを確実に発見することができる。さらには、囲い部Ｃがガイド手段としての機能と封印シール４２１の剥がし行為を困難なものとする機能とを併せ持つこととなり、構成の簡素化を図りつつ上記効果を奏することができる。
【０２６８】
貼付面４０５ａ，４０５ｂ，４０６ａ，４０６ｂに封印シール４２１を貼り付ける場合にアンテナ部４２５が各ネジ４０７，４０８の頭部４０７ａ，４０８ａと対峙する位置から外れない範囲内で、貼付面４０５ａ，４０５ｂ，４０６ａ，４０６ｂが封印シール４２１の面積よりも広くなるように囲い部Ｃを形成した。これにより、封印シール４２１を貼付面４０５ａ，４０５ｂ，４０６ａ，４０６ｂに貼り付ける場合の貼付位置にゆとりが生まれ、囲い部Ｃを設けた構成において封印シール４２１を貼り付ける場合の作業性を向上させることができる。
【０２６９】
なお、本実施の形態においては上記第１の実施の形態と共通の構成を備えるが、かかる共通の構成により奏する効果は本実施の形態においても得られるのは言うまでもない。
【０２７０】
（他の実施の形態）
なお、上述した実施の形態の記載内容に限定されず、例えば次のように実施してもよい。
【０２７１】
（１）上記各実施の形態における封印シール３３０（上記第２の実施の形態においては封印シール４２１）の構成についての変形例を図３４（ａ），（ｂ）及び図３５（ａ），（ｂ）に示す。なお、図３４（ａ），（ｂ）及び図３５（ａ），（ｂ）は、封印シールの背面側の構成を示す。また、図３４（ａ），（ｂ）及び図３５（ａ），（ｂ）においては、アンテナ用切り込み３３５及び隅側切り込み３３６を省略して示してあるが、これらを設けるか否かは任意である。
【０２７２】
まず図３４（ａ）では、アンテナ付きＩＣチップ３３３がベースシート３３１の対角線（図において一点鎖線で示す）上に設けられている。これにより、アンテナ付きＩＣチップ３３３の長手方向寸法を極力大きくすることができる。なお、図３４（ａ）においては、アンテナ付きＩＣチップ３３３の両端部の位置がベースシート３３１の隅角よりも内側となっているが、当該両端部の位置がベースシート３３１の隅角にある構成であってもよい。
【０２７３】
また図３４（ｂ）では、封印シール３３０には上記各実施の形態と同様にＩＣチップ５５１及びアンテナ部５５２を備えたアンテナ付きＩＣチップ５５０が設けられているが、アンテナ部５５２の両端は当該アンテナ部５５２の長手方向に対して略直交する方向に折り曲げられた折り曲げ部５５２ａが形成されている。これにより、封印シール３３０がその隅角側から剥がされた場合には、折り曲げ部５５２ａにおいてアンテナ部５５２が分断されることとなる。よって、封印シール３３０がその隅角側から剥がされたとしても、アンテナ部５５２の分断が生じることとなり、主基板２７０に対して不正行為が行われたことを容易に且つ確実に発見することができる。なお、折り曲げ部５５２ａの周囲に、上記各実施の形態におけるアンテナ用切り込み３３５と同様の切り込みを形成することにより、折り曲げ部５５２ａにおける分断をより確実に発生させることができる。
【０２７４】
また図３５（ａ）に示す構成では、アンテナ付きＩＣチップ３３３は封印シール３３０の一隅部側からその対角方向の隅部側に亘って延びるようにして配置されておらず、封印シール３３０の一辺側からその隣りの一辺側に亘って延びるようにして配置されている。当該構成であっても、アンテナ部３３３ｂはその長手方向が封印シール３３０のすべての辺方向と交差しており、さらに上部領域Ｒ１、中間領域Ｒ２及び下部領域Ｒ３のすべてに亘って位置しているので両貼付板部２８７，２９４を跨ぐこととなる。よって、封印シール３３０がその一辺に沿う方向に剥がされた場合には、アンテナ部３３３ｂの分断が十分生じ得る。
【０２７５】
また図３５（ｂ）に示す構成では、封印シール５５５が平行四辺形状をしている。この場合に、アンテナ付きＩＣチップ３３３は、対角線の長さ寸法が大きい側の一隅部側からそれに対向する隅部側に亘って位置するように設けられている。これにより、平行四辺形状をした封印シール５５５において、アンテナ部３３３ｂの幅寸法を極力小さくしつつ、アンテナ付きＩＣチップ３３３が位置する領域を広く確保することができる。また、本構成であれば、アンテナ部３３３ｂの長手方向寸法を極力大きく確保しつつ、封印シール５５５の面積を小さくすることができる。
【０２７６】
なお、上記構成以外にも、封印シールを正方形状とする構成としてもよい。
【０２７７】
（２）上記各実施の形態における封印シール３３０（上記第２の実施の形態においては封印シール４２１）に図３６（ａ）、（ｂ）の構成を付加してもよい。なお、図３６（ａ）は、封印シールの表面の構成を示す。但し、外縁切り込み３３７や識別情報部３４２などは省略して示す。また、図３６（ｂ）は、封印シールの裏面の構成を示す。但し、隅側切り込み３３６及び外縁切り込み３３７は省略して示す。
【０２７８】
まず図３６（ａ）に示す構成では、封印シール５７１には厚み方向に貫通する断続的な破壊案内線５７３が格子状となるように穿設されている。これにより、封印シール５７１が剥がされた場合に、その剥がす力に伴って破壊案内線５７３が繋がり、封印シール５７１（ベースシート５７２）が破壊されることとなる。また、封印シール５７１が破壊されるのに伴って、図示しないアンテナ付きＩＣチップのアンテナ部も分断されることとなる。よって、主基板に対して不正行為が行われたことをより確実に発見することができる。なお、破壊案内線５７３は格子状に限定されることはなく、例えば、放射状に設けられていたり、不規則に設けられている構成であってもよい。
【０２７９】
また図３６（ｂ）に示す構成では、封印シール３３０には上記各実施の形態と同様にＩＣチップ５７６及びアンテナ部５７７を備えたアンテナ付きＩＣチップ５７５が設けられているが、アンテナ部５７７には当該アンテナ部５７７を挟むようにして形成されたアンテナ用切り込み３３５を断続的に繋ぐように破壊案内線５７７ａが穿設されている。これにより、封印シール５７１が剥がされた場合には、アンテナ用切り込み３３５及び破壊案内線５７７ａを介してアンテナ部５７７がより確実に破壊されることとなる。よって、主基板に対して不正行為が行われたことをより確実に発見することができる。
【０２８０】
（３）上記各実施の形態では、ＩＣチップ３３３ａ，４２７がアンテナ部３３３ｂ，４２５の長手方向の中央付近に配置されている構成であったが、アンテナ部３３３ｂ，４２５の長手方向の端部又は端部側に配置されている構成であってもよい。
【０２８１】
（４）上記各実施の形態では、ベースシート３３１，４２２の４隅に形成される隅側切り込みとしての隅側切り込み３３６がベースシート３３１，４２２のコーナー部分に沿うようにして略Ｌ字状に形成されている構成であったが、これを変更してもよい。例えば、ベースシート３３１，４２２の長手方向に延びる切り込みと短手方向に延びる切り込みが連続していない構成であってもよい。
【０２８２】
（５）上記各実施の形態では、封印シール３３０，４２１の外周全体に亘って外縁切り込み３３７が形成されている構成であったが、これを変更してもよい。例えば、外縁切り込み３３７が封印シール３３０，４２１の隅角にのみ形成されている構成であってもよい。この場合であっても、封印シール３３０，４２１をその隅角から剥がそうとすると、外縁切り込み３３７にて破壊が生じるため、不正を行おうとする者は封印シール３３０，４２１の一辺に沿う方向に当該封印シール３３０，４２１を剥がすことで破壊が極力生じないようにする。この場合に、一辺に沿う方向に封印シール３３０，４２１が剥がされると、上記各実施の形態と同様に、アンテナ部３３３ｂ，４２５が分断されるので、主基板２７０，４０２に対して不正が行われたことを容易に且つ確実に発見することができる。
【０２８３】
また、例えば、外縁切り込み３３７が形成されていない構成であってもよい。当該構成であっても、ベースシート３３１，４２２が適度な脆性を有していることにより、封印シール３３０，４２１をその隅角側から剥がそうとすると剥がす力に伴う応力が隅角側に集中しベースシート３３１，４２２が大きく破壊される。よって、不正を行おうとする者は、封印シール３３０，４２１の一辺に沿う方向に当該封印シール３３０，４２１を剥がすことで破壊が極力生じないようにする。この場合に、一辺に沿う方向に封印シール３３０，４２１が剥がされると、上記各実施の形態と同様に、アンテナ部３３３ｂ，４２５が分断されるので、主基板２７０，４０２に対して不正が行われたことを容易に且つ確実に発見することができる。
【０２８４】
（６）上記各実施の形態では、封印シール３３０，４２１に所定の溶媒が塗布されたり、所定温度以上の熱が加えられた場合には、ベースシート３３１，４２２が変色する構成であったが、ベースシート３３１，４２２が変質する構成としてもよい。具体的には、ベースシート３３１，４２２が溶ける構成とする。当該構成によっても、封印シール３３０，４２１に所定の溶媒が塗布され、又は封印シール３３０，４２１に所定温度以上の熱が加えられて、封印シール３３０，４２１が剥がされ、主基板２７０，４０２に対して不正行為が行われたことを容易に発見することができる。
【０２８５】
（７）封印シール３３０，４２１における粘着剤層を２層構造とし、２層の粘着剤層の間にアンテナ付きＩＣチップ３３３，４２４を埋設する構成としてもよい。この場合、封印シール３３０，４２１を剥がそうとすると、ベースシート３３１，４２２側に位置する粘着剤層と、基板ボックス２７３（上記第２の実施の形態においてはボックスカバー４０３及びボックスベース４０４）側に位置する粘着剤層とでアンテナ付きＩＣチップ３３３，４２４が引っ張られ、アンテナ部３３３ｂ，４２５の分断を生じさせることができる。
【０２８６】
（８）上記各実施の形態では、識別情報部３４２には複数の数字が記載されている構成であったが、ＩＣチップ３３３ａ，４２７に格納されているＩＤ情報と対応付けられていれば、これを変更してもよい。例えば、識別情報部３４２に複数のアルファベットが記載されている構成であってもよく、アルファベットと数字とが記載されている構成であってもよい。
【０２８７】
（９）上記各実施の形態では、封印シール３３０，４２１が略コ字状に折り曲げられてボックスベース２８０，４０４及びボックスカバー２９０，４０３に貼り付けられている構成であったが、これを変更してもよい。例えば、曲げ中心の延びる方向が封印シール３３０，４２１の一辺の延びる方向に対して略平行となるように、封印シール３３０，４２１を所定の曲率で曲げて貼り付ける、又は封印シール３３０，４２１を略Ｌ字状に折り曲げて貼り付ける構成としてもよい。これらの場合であっても、封印シール３３０，４２１をその一辺に沿う方向に剥がそうとすると、剥がす力の応力が曲げ部分に集中することとなる。
【０２８８】
また、封印シール３３０，４２１を曲げることなく貼り付ける構成としてもよい。当該構成であっても、ベースシート３３１，４２２が適度な脆性を有していることにより封印シール３３０，４２１をその隅角側から剥がそうとすると隅角側に剥がす力に伴う応力が集中しベースシート３３１，４２２が大きく破壊される。よって、不正を行おうとする者は、封印シール３３０，４２１の一辺に沿う方向に当該封印シール３３０，４２１を剥がすことで破壊が極力生じないようにする。この場合に、一辺に沿う方向に封印シール３３０，４２１を剥がそうとすると、上記各実施の形態と同様に、アンテナ部３３３ｂ，４２５が分断されるので、主基板２７０，４０２に対して不正が行われたことを容易に且つ確実に発見することができる。
【０２８９】
（１０）上記第１の実施の形態における封印シール３３０を、基板ボックス２７３と取付台２５１とを跨ぐようにして貼り付ける構成としてもよい。この場合、取付台２５１から不正に主制御装置２７１が取り外されたことを容易に且つ確実に発見することができる。
【０２９０】
（１１）払出制御装置３１１への不正対策として、上記各実施の形態における封印シール３３０，４２１を、払出制御装置３１１を構成する基板ボックス３１５に貼り付け当該基板ボックス３１５を封印する構成としてもよい。また、払出制御装置３１１の基板ボックス３１５と当該払出制御装置３１１が搭載される取付台３０１とを跨ぐようにして封印シール３３０，４２１を貼り付ける構成としてもよい。払出制御装置３１１では遊技球の払い出しに関わる制御が行われるため、払出制御装置３１１に対して不正が行われると遊技ホールなどに多大な被害を与えるおそれがある。これに対して、本構成のように、払出制御装置３１１に対して封印シール３３０，４２１を貼り付ける構成とすることで、払出制御装置３１１に対する不正行為を容易に発見することができ、遊技ホールなどに被害が発生することを抑制することができる。なお、主制御装置２７１，４０１や払出制御装置３１１以外に、遊技球の払い出し（特典の付与）に関わる制御を行う制御装置が設けられる構成においては、当該制御装置の基板ボックスに上記実施の形態における封印シール３３０，４２１を貼り付ける構成とするのが好ましい。
【０２９１】
（１２）上記各実施の形態では、主制御装置２７１，４０１において、図柄表示装置４１における停止図柄の細かな組合せ、図柄の変動パターンやリーチ演出を決定する構成であったが、これを変更してもよい。例えば、主制御装置２７１，４０１は、図柄表示装置４１における停止図柄の細かな組合せ、図柄の変動パターンやリーチ演出を決定せずに、表示制御装置２１４がこれらを決定する構成であってもよい。この場合、主制御装置２７１，４０１は、ノーマル大当たり状態に移行した後に高確率状態に移行する大当たり、スーパー大当たり状態に移行した後に通常状態に移行する大当たり又は大当たり発生無しのうちのいずれが当該遊技回において発生するかの旨と、第１特定ランプ部４７に表示される色の切替表示時間とを含めた表示コマンドを表示制御装置２１４に対して出力する構成とする。そして、表示制御装置２１４は、この主制御装置２７１，４０１からの表示コマンドに基づいて、停止図柄の細かな組合せ、図柄の変動パターンやリーチ演出を決定し、切替表示時間の範囲内で図柄の変動表示を制御する。本構成であれば、上記各実施の形態における効果を奏しつつ、さらに主制御装置２７１，４０１の処理負荷の軽減を図ることができる。
【０２９２】
（１３）上記各実施の形態では、第１図柄の変動表示を行う図柄表示装置４１と別に第１特定ランプ部４７を設ける構成としたが、第１特定ランプ部４７を設けずともよい。
【０２９３】
（１４）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも適用できる。
【０２９４】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与するスロットマシンにも適用できる。
【０２９５】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも適用できる。
【０２９６】
（１５）上記第２の実施の形態における封印シール４２１の変形例を図３７（ａ），（ｂ）に示す。図３７（ａ），（ｂ）は、主制御装置４０１に貼り付けられた状態の封印シール周辺を拡大して示す正面図である。なお、図３７（ａ），（ｂ）においては、各種切り込み３３５〜３３７、インク塗布部３４１や識別情報部３４２を省略して示してあるが、これらを設けるか否かは任意である。
【０２９７】
図３７（ａ）では、封印シール５８１に設けられたアンテナ付きＩＣチップ５８２のアンテナ部５８３は、上記第２の実施の形態と異なり、第１ネジ孔４１１の取り外し側開口４１３を跨いでいない。詳細には、アンテナ部５８３の端部が取り外し側開口４１３におけるその幅方向の途中位置にある。
【０２９８】
図３７（ｂ）では、封印シール５９１に設けられたアンテナ付きＩＣチップ５９２のアンテナ部５９３はその短手方向寸法が、上記第２の実施の形態と異なり、第１ネジ孔５９４の取り外し側開口５９４ａの孔径よりも大きくなっている。これにより、アンテナ部５９３により取り外し側開口５９４ａが覆われ、これに伴って第１ネジ５９５の頭部５９５ａもアンテナ部５９３により覆われている。
【０２９９】
以上のいずれの構成であっても、アンテナ部が第１ネジに対して離間されているため、封印シールにアンテナ付きＩＣチップを設けた効果を確実に得ることができる。また、アンテナ部が第１ネジの頭部と対峙しているため、第１ネジを取り外すためには、封印シールにおけるアンテナ部が配置された部分を剥がす必要が生じる。そして、この場合、アンテナ部が分断されスキャナーによりＩＤ情報が確認できなくなることで、主基板に対して不正が行われたことを確実に発見することができる。
【０３００】
（１６）上記第２の実施の形態では、締結具としてネジ４０７，４０８を設けたが、これを変更してもよい。例えば、樹脂製の封印部材を設け金属製の係止爪により締結する構成としてもよい（すなわち、カシメ構造を設ける構成としてもよい）。かかる構成について図３８を用いて説明する。図３８（ａ）は、上記第２の実施の形態における主制御装置４０１の封印ユニットＳＹに封印シール４２１を貼り付け状態を示す斜視図であり、（ｂ）はその封印シール４２１周辺を拡大して示す斜視図である。
【０３０１】
本構成では、封印ユニットＳＹにおける一部の封印部材４０３ａ，４０４ａを覆うようにして封印シール４２１が貼り付けられている。封印部材４０３ａ，４０４ａは金属製の係止爪を圧入することで締結されている。この場合に、アンテナ部４２５を係止爪に対して離間させて配置することで、封印シール４２１にアンテナ付きＩＣチップ４２４を設けた効果を確実に得ることができる。
【０３０２】
かかる構成において、アンテナ部４２５は封印部材４０３ａ，４０４ａに圧入された係止爪と対峙している。したがって、係止爪を取り外すためには、封印シール４２１におけるアンテナ部４２５が配置された部分を剥がす必要が生じる。そして、この場合、アンテナ部４２５が分断されスキャナーによりＩＤ情報が確認できなくなることで、主基板４０２に対して不正が行われたことを確実に発見することができる。
【０３０３】
また、本構成においては、隣り合う封印部材４０３ａ，４０４ａを跨ぐようにして封印シール４２１が貼り付けられているため、封印部材４０３ａ，４０４ａを露出させようとする場合において、ベースシート４２２の破壊が生じる機会を多く設けることができるとともに、アンテナ部４２５の分断が生じる機会を多く設けることができる。つまり、封印シール４２１は封印部材４０３ａ，４０４ａの外縁を境界として当該封印部材４０３ａ，４０４ａに貼り付けられた部分と貼り付けられていない部分とが存在し、これはアンテナ部４２５においても同様である。この場合に、封印部材４０３ａ，４０４ａを露出させようとして封印シール４２１を剥がすと、アンテナ部４２５（封印シール４２１）における封印部材４０３ａ，４０４ａに貼り付けられた部分と貼り付けられていない部分との境界に封印シール４２１を剥がす力に伴う応力が集中し易くなるからである。
【０３０４】
なお、本構成において、すべての封印部材４０３ａ，４０４ａを覆うようにして封印シール４２１を貼り付ける構成としてもよい。但し、この場合、当該封印シール４２１よりもサイズの大きいものを使用する必要がある。
【０３０５】
（１７）上記第２の実施の形態では、ガイド手段として囲い部Ｃを設けたが、これを変更してもよい。その変更例を図３９（ａ），（ｂ）に示す。図３９（ａ），（ｂ）はガイド手段の構成を説明するための説明図である。
【０３０６】
図３９（ａ）では、ガイド手段として、封印シール４２１における対角にある２隅に沿うようにしてＬ字状をなすガイド部６０１が設けられている。本構成においては、封印シール４２１の２隅の位置をガイド部６０１に沿うようにして封印シール４２１を貼り付けることで、自ずとアンテナ部４２５の両端部４２６ａ，４２６ｂが取り外し側開口４１３，４１４を跨いだ状態となる（バネ４０７，４０８の頭部４０７ａ，４０８ａと対峙した状態となる）。
【０３０７】
図３９（ｂ）では、ガイド手段として、封印シール４２１の直交する２辺に沿うようにしてＬ字状をなすガイド部６０２が設けられている。本構成においては、封印シール４２１の直交する２辺をガイド部６０２に沿うようにして封印シール４２１を貼り付けることで、自ずとアンテナ部４２５の両端部４２６ａ，４２６ｂが取り外し側開口４１３，４１４を跨いだ状態となる（バネ４０７，４０８の頭部４０７ａ，４０８ａと対峙した状態となる）。
【０３０８】
なお、上記以外にも、ガイド手段として、貼付面を囲むようにして一連の又は断続的に延びる溝を形成する構成としてもよい。
【０３０９】
（１８）締結具に対するアンテナ部の配置位置を上記第２の実施の形態と異なるものとしてもよい。その変更例を図４０を用いて説明する。図４０（ａ）は主制御装置４０１に貼り付けられた封印シール６１０周辺を拡大して示す正面図、図４０（ｂ）は封印シール６１０周辺を拡大して示す側面図、図４０（ｃ）は封印シール６１０周辺を拡大して示す背面図である。
【０３１０】
図４０（ａ）〜（ｃ）に示すように、上記第２の実施の形態と同様に、封印シール６１０は貼付板部４０５，４０６を跨ぐようにして貼り付けられており、アンテナ付きＩＣチップ６１１のアンテナ部６１２はその両端部６１３ａ，６１３ｂがそれぞれ第１貼付面４０５ａ及び第２貼付面４０６ａに位置している。この場合に、アンテナ部６１２の両端部６１３ａ，６１３ｂはネジ孔４１１，４１２の取り外し側開口４１３，４１４を跨いでおらず、それら開口４１３，４１４に対してずれた位置にある。つまり、アンテナ部６１２が各ネジ４０７，４０８の頭部４０７ａ，４０８ａと対峙していない。かかる構成であっても、アンテナ部６１２を金属製の締結具に対して離間させることができ、封印シール６１０にアンテナ付きＩＣチップ６１１を設けた効果を確実に得ることができる。
【０３１１】
また、本構成においては、アンテナ部６１２が開口４１３，４１４を跨ぐ構成ではないので、ネジ４０７，４０８における頭部４０７ａ，４０８ａの頂上がネジ孔４１１，４１２の軸線方向の途中位置にある必要がない。つまり、ネジ４０７，４０８の頭部４０７ａ，４０８ａが第１貼付面４０５ａ及び第２貼付面４０６ａから突出した構成であってもよい。なお、本構成においても、ガイド手段（囲い部Ｃ）を設けることで、封印シール６１０を貼付面４０５ａ，４０５ｂ，４０６ａ，４０６ｂに貼り付けると自ずとアンテナ部６１２がネジ４０７，４０８に対して離間される。これにより、アンテナ部６１２とネジ４０７，４０８とを確実に離間させることができる。また、封印シール６１０を貼り付ける場合の作業性を低下させることなく、アンテナ部６１２とネジ４０７，４０８とを離間させることができる。
【０３１２】
（１９）上記構成（１８）のようにアンテナ部６１２を、その両端部６１３ａ，６１３ｂがネジ孔４１１，４１２の取り外し側開口４１３，４１４を跨がないように配置した構成において、両端部６１３ａ，６１３ｂがそれら開口４１３，４１４に近接するように、又は開口４１３，４１４の周縁部に接するようにアンテナ部６１２を配置するのが好ましい。これにより、アンテナ部６１２をその両端部６１３ａ，６１３ｂが前記開口４１３，４１４を跨がないように配置した構成において、ネジ４０７，４０８の頭部４０７ａ，４０８ａを露出させるには封印シール６１０におけるアンテナ部６１２が配置された部分を剥がす必要が生じる。そして、かかる場合、アンテナ部６１２が分断されスキャナーによりＩＤ情報が確認できなくなることで、主基板４０２に対して不正が行われたことを確実に発見することができる。
【０３１３】
（２０）上記第２の実施の形態では、アンテナ部４２５とネジ４０７，４０８の頭部４０７ａ，４０８ａとの間には両者を介在する介在部材を不具備としたが、介在部材を設ける構成としてもよい。ただし、アンテナ部４２５に設定された共振周波数が変更されないように、その介在部材は非導電性である必要がある。非導電性の介在部材を設けた構成においては、ネジ４０７，４０８における頭部４０７ａ，４０８ａの頂上の位置を各ネジ孔４１１，４１２における軸線方向の途中位置となるようにする必要がないので、ネジ孔４１１，４１２の構造は任意となる。
【０３１４】
（２１）上記第２の実施の形態では、締結具としてネジ４０７，４０８を２つ設けたが、その数は任意である。つまり、締結具として１個のネジのみを設ける構成としてもよく、３個、又は４個以上のネジを設ける構成としてもよい。この場合に、両貼付板部４０５，４０６を跨ぐようにして封印シール４２１を貼り付け、さらにいずれか１つのネジの頭部と対峙するようにしてアンテナ部４２５を配置することで、頭部がアンテナ部４２５と対峙するネジを取り外すためには、封印シール４２１におけるアンテナ部４２５が配置された部分を剥がす必要が生じる。そして、この場合、アンテナ部４２５が分断されスキャナーによりＩＤ情報が確認できなくなることで、主基板４０２に対して不正が行われたことを確実に発見することができる。
【０３１５】
また、ネジを３個以上設けた構成においては、そのうちの一部のネジの取り外し方向と他のネジの取り外し方向とが逆方向となるよう構成するのが好ましい。すなわち、一部のネジを第１貼付面４０５ａ側から螺着するようにするとともに、他のネジを第２貼付面４０６ａ側から螺着するようにする。また、かかる構成においても、アンテナ部４２５の両端部４２６ａ，４２６ｂがそれぞれ第１貼付面４０５ａ及び第２貼付面４０６ａに位置するようにして配置するのが好ましく、さらには第１貼付面４０５ａ側から螺着する少なくとも一のネジと第２貼付面４０６ａ側から螺着する少なくとも一のネジとの両頭部と対峙するようにしてアンテナ部４２５を配置するのが好ましい。
【０３１６】
（２２）上記第２の実施の形態では、アンテナ部４２５を第１ネジ４０７の頭部４０７ａ及び第２ネジ４０８の頭部４０８ａと対峙するようにして配置したが、これに代えて、第１ネジ４０７の頭部４０７ａ又は第２ネジ４０８の頭部４０８ａのいずれか一方と対峙するようにしてアンテナ部４２５を配置する構成としてもよい。
【０３１７】
（２３）また、上記第２の実施の形態では、第１ネジ４０７をその頭部４０７ａが両貼付板部４０５，４０６の境界に対して一方の貼付板部４０５側に位置するように取り付けるとともに、第２ネジ４０８をその頭部４０８ａが他方の貼付板部４０６側に位置するように取り付けたが、かかる構成を変更してもよい。例えば、第１ネジ４０７の頭部４０７ａ及び第２ネジ４０８の頭部４０８ａがいずれも両貼付板部４０５，４０６の境界に対して同一方向に位置するように両ネジ４０７，４０８を取り付ける構成としてもよい。
【０３１８】
（２４）上記第２の実施の形態では、第１ネジ孔４１１及び第２ネジ孔４１２を、両貼付板部４０５，４０６をその厚み方向に貫通するようにして形成したが、これに代えて、第１ネジ孔４１１及び第２ネジ孔４１２における対応するネジ４０７，４０８の取り付け方向側（螺着方向側）が開口されていない構成としてもよい。例えば、上記第２の実施の形態のように第１ネジ孔４１１及び第２ネジ孔４１２における対応するネジ４０７，４０８の取り付け方向側が開口された構成においては、その開口側から工具などを挿し込みネジ４０７，４０８の先端（頭部４０７，４０８と反対側、すなわち、取り付け方向側端部）に所定の深さの溝などを形成し、その溝にマイナスのドライバなどを嵌め込んで回転させることでネジ４０７，４０８をその取り外し方向側から取り外すといった行為が想定される。これに対して、第１ネジ孔４１１及び第２ネジ孔４１２における対応するネジ４０７，４０８の取り付け方向側が開口されていない構成とすることで、上記のような不正行為を抑制することができる。そして、かかる構成と上記第２の実施の形態における封印シール４２１に関する構成とを備えることで、制御基板に対する不正行為の抑制効果がより発揮される。
【０３１９】
（２５）封印シール４２１は矩形状に限定されることはなく、正方形状であってもよい。また、四角形状の隅角が円弧状や直線状にカットされた形状であってもよい。この場合であっても、封印シール４２１（ベースシート４２２）は略四角形状をなすと言える。なお、四角形状の隅角が直線状にカットされた構成であっても、上記第２の実施の形態のようにアンテナ部４２５（アンテナ付きＩＣチップ４２４）を配置することで、アンテナ部４２５がベースシート４２２のすべての辺方向と交差するという要件は満たす。
【０３２０】
（２６）上記第２の実施の形態における封印シール４２１を、主制御装置４０１（ボックスカバー４０３及びボックスベース４０４）とその取付台２５１（搭載部）とを跨ぐようにして貼り付ける構成としてもよい。この場合、取付台２５１に対して主制御装置４０１を締結する金属製の締結具を設けるとともに、当該締結具の少なくとも一部を覆うようにして封印シール４０１を貼り付ける。さらに、封印シール４２１のアンテナ部４２５を締結具に対して離間させて配置する。これにより、封印シール４２１にアンテナ付きＩＣチップ４２４を設けた効果が確実に得られ、取付台２５１から不正に主制御装置４０１が取り外されたことを容易に且つ確実に発見することができる。
【符号の説明】
【０３２１】
１０…遊技機としてのパチンコ機、１１…外枠、１２…本体枠、１３…前扉枠、１８…操作部材としての遊技球発射ハンドル、３０…遊技領域としての遊技盤、３１…一般入賞口、３２…可変入賞装置、３３…作動口、３５…可変表示ユニット、４１…絵柄表示装置としての図柄表示装置、４７…第２表示手段としての第１特定ランプ部、４８…第２特定ランプ部、５０…レールユニット、１０１…窓部、２１４…表示制御装置、２７０…制御基板としての主基板、２７１…制御基板装置としての主制御装置、２７３…基板ボックス、２８０…ケース体としてのボックスベース、２９０…ケース体としてのボックスカバー、２９９…固定具としてのネジ、３３０…封印シール、３３１…ベース部材としてのベースシート、３３２…粘着剤層、３３３…アンテナ付きＩＣチップ、３３３ａ…ＩＣチップ、３３３ｂ…アンテナ部、３３５…アンテナ用切り込み、３３６…隅側切り込み、３３７…外縁切り込み、３４１…インク塗布部、３４２…識別情報部、４０１…制御基板装置としての主制御装置、４０２…制御基板としての主基板、４０３…ケース体としてのボックスカバー、４０４…ケース体としてのボックスベース、４０５，４０６…貼付板部、４０５ａ，４０５ｂ，４０６ａ，４０６ｂ…貼付面、４０７…第１締結具としての第１ネジ、４０８…第２締結具としての第２ネジ、４０７ａ，４０８ａ…取り外し方向側の端部としての頭部、４１１，４１２…連通孔としてのネジ孔、４１３，４１４…取り外し側開口、４２１…封印シール、４２２…ベースシート、４２３…粘着剤層、４２５…アンテナ部、４２７…ＩＣチップ、Ｃ…ガイド手段としての囲い部。
【図１】
0005626315.tif 000002
【図２】
0005626315.tif 000003
【図３】
0005626315.tif 000004
【図４】
0005626315.tif 000005
【図５】
0005626315.tif 000006
【図６】
0005626315.tif 000007
【図７】
0005626315.tif 000008
【図８】
0005626315.tif 000009
【図９】
0005626315.tif 000010
【図１０】
0005626315.tif 000011
【図１１】
0005626315.tif 000012
【図１２】
0005626315.tif 000013
【図１３】
0005626315.tif 000014
【図１４】
0005626315.tif 000015
【図１５】
0005626315.tif 000016
【図１６】
0005626315.tif 000017
【図１７】
0005626315.tif 000018
【図１８】
0005626315.tif 000019
【図１９】
0005626315.tif 000020
【図２０】
0005626315.tif 000021
【図２１】
0005626315.tif 000022
【図２２】
0005626315.tif 000023
【図２３】
0005626315.tif 000024
【図２４】
0005626315.tif 000025
【図２５】
0005626315.tif 000026
【図２６】
0005626315.tif 000027
【図２７】
0005626315.tif 000028
【図２８】
0005626315.tif 000029
【図２９】
0005626315.tif 000030
【図３０】
0005626315.tif 000031
【図３１】
0005626315.tif 000032
【図３２】
0005626315.tif 000033
【図３３】
0005626315.tif 000034
【図３４】
0005626315.tif 000035
【図３５】
0005626315.tif 000036
【図３６】
0005626315.tif 000037
【図３７】
0005626315.tif 000038
【図３８】
0005626315.tif 000039
【図３９】
0005626315.tif 000040
【図４０】
0005626315.tif 000041